(57)【要約】      （修正有）【課題】少なくともバラスト水処理設備、ボイラ設備、造水処理設備から得られる各状態情報から選択される一または複数の状態情報の組み合わせないし一括的な管理を実現する。【解決手段】船舶（４）の設備管理システム（２）は、船舶に搭載された少なくともバラスト水処理設備（８）、ボイラ設備（１０）および造水処理設備（１２）の各状態情報から選択された一つの状態情報または２以上の状態情報を含む告知情報を船舶から無線により取得する通信部（２０）と、前記船舶から取得した前記告知情報から前記バラスト水処理設備、前記ボイラ設備または前記造水処理設備の前記状態情報を抽出し、前記バラスト水処理設備、前記ボイラ設備または前記造水処理設備に少なくとも必要な薬剤情報を含む管理情報を生成し、該管理情報を少なくとも前記告知情報を送出した船舶に対して前記通信部に送出させる処理部（２２）とを備える。【選択図】図１
2018103637.tif 000002
【特許請求の範囲】
【請求項１】
船舶に搭載された少なくともバラスト水処理設備、ボイラ設備および造水処理設備の各状態情報から選択された一つの状態情報または２以上の状態情報を含む告知情報を船舶から無線により取得する通信部と、
前記船舶から取得した前記告知情報から前記バラスト水処理設備、前記ボイラ設備または前記造水処理設備の前記状態情報を抽出し、前記バラスト水処理設備、前記ボイラ設備または前記造水処理設備に少なくとも必要な薬剤情報を含む管理情報を生成し、該管理情報を少なくとも前記告知情報を送出した船舶に対して前記通信部に送出させる処理部と、
を備えることを特徴とする設備管理システム。
【請求項２】
前記処理部は、前記告知情報を送出した船舶の所有者または管理者に対して前記管理情報を前記通信部に送出させることを特徴とする請求項１記載の設備管理システム。
【請求項３】
前記管理情報は、さらに航海日誌情報またはバラスト処理報告に使用する報告書情報を含むことを特徴とする請求項１または請求項２記載の設備管理システム。
【請求項４】
前記処理部は、前記バラスト水処理設備、前記ボイラ設備および前記造水処理設備の各設備に必要な薬剤の残量を管理し、前記薬剤の残量に応じて前記薬剤を前記船舶の寄港地に手配することを特徴とする請求項１ないし請求項３の何れか１項に記載の設備管理システム。
【請求項５】
船舶に搭載された少なくともバラスト水処理設備、ボイラ設備および造水処理設備の各状態情報から選択される一つの状態情報または２以上の状態情報を含む告知情報を生成する処理部と、
前記処理部で生成された前記告知情報を無線により送信する通信部と、
を備えることを特徴とする設備管理システム。
【請求項６】
前記通信部は、前記バラスト水処理設備、前記ボイラ設備または前記造水処理設備に少なくとも必要な薬剤情報を含む管理情報を無線で受信し、この管理情報を前記処理部に送出し、
前記処理部は、前記管理情報を提示することを特徴とする請求項５記載の設備管理システム。
【請求項７】
コンピュータにより実行される設備管理プログラムであって、
船舶に搭載された少なくともバラスト水処理設備、ボイラ設備および造水処理設備の各状態情報から選択される一つの状態情報または２以上の状態情報を含む告知情報を生成する機能と、
前記告知情報から前記バラスト水処理設備、前記ボイラ設備または前記造水処理設備の前記状態情報を抽出し、前記バラスト水処理設備、前記ボイラ設備または前記造水処理設備に必要な薬剤情報を含む管理情報を生成する機能と、
前記告知情報または前記管理情報を送出する機能と、
を前記コンピュータにより実現するための設備管理プログラム。
【請求項８】
船舶に搭載された少なくともバラスト水処理設備、ボイラ設備および造水処理設備の各状態情報から選択される一つの状態情報または２以上の状態情報を含む告知情報を生成するステップと、
前記告知情報から前記バラスト水処理設備、前記ボイラ設備または前記造水処理設備の前記状態情報を抽出し、前記バラスト水処理設備、前記ボイラ設備または前記造水処理設備に必要な薬剤情報を含む管理情報を生成するステップと、
前記告知情報または前記管理情報を送出するステップと、
を含むことを特徴とする設備管理方法。
【発明の詳細な説明】
【技術分野】
【０００１】
本発明は、船舶に搭載されるバラスト水処理設備、ボイラ設備および造水処理設備などの水処理設備や環境関連設備を含む各種設備の遠隔管理に用いられる管理技術に関する。
【背景技術】
【０００２】
船舶はバラスト水処理設備、ボイラ設備、造水処理設備など、種々の設備が搭載されている。たとえば、タンカーでは搭載したバラスト水を寄港地の港で排出して原油などを搭載する処置が取られる。出航地で搭載したバラスト水には出航地の微生物が含まれており、航行中または寄港地でバラスト水の殺滅処理を行い、寄港地の基準に適合した状態でバラスト水を排出する必要がある。
【０００３】
このようなバラスト水処理に関し、ＩＭＯ（International Maritime Organization：国際海事機関）が定めた水管理基準を達成するようにバラスト水を処理することが知られている（たとえば、特許文献１）。
【先行技術文献】
【特許文献】
【０００４】
【特許文献１】特開２００９−１１２９７８号公報
【発明の概要】
【発明が解決しようとする課題】
【０００５】
ところで、船舶では搭載されたバラスト水処理設備、ボイラ設備、造水処理設備など、種々の設備が搭載され、少なくともバラスト水処理設備、ボイラ設備、造水処理設備などは薬剤を投与して清浄化するなどの処理が必要な水処理に関連する。
【０００６】
従来、バラスト水処理設備、ボイラ設備、造水処理設備などの各設備の管理を船舶側だけでなく、管理センターなどの陸上側で行うには、バラスト水処理設備、ボイラ設備または造水処理設備から得られた状態情報などを個別に陸上側に通知し、陸上側から船舶に対し個別に管理を行うことが必要であった。このような管理は、単一の船舶であっても相当な手数や時間を要し、世界各地に点在する多数の船舶を対象とすれば、管理は複雑化し、迅速な対応ができないという課題があった。適切な対応ができなければ、バラスト水の排出に制限を受けるなど、原油の積込みなどに支障を来すことになる。また、航行中にバラスト水の殺滅処理を行うとしても、必要な薬剤が欠乏すれば、その処理の遅延などを来たし、寄港地で不足した薬剤を調達することが必要となるし、いずれの薬剤が必要であるかの判断も船舶と管理センターとの間で情報交換することが必要となる。そして、バラスト水のみならず、他のボイラ設備、造水処理設備などの各設備についても同様の管理が必要となる。このような管理は船舶の安全航行にも関連する重要な事項である。
【０００７】
そこで、本発明の目的は、上記課題に鑑み、少なくともバラスト水処理設備、ボイラ設備、造水処理設備から得られる各状態情報から選択される一または複数の状態情報の組み合わせないし一括的な管理を実現することにある。
【課題を解決するための手段】
【０００８】
上記目的を達成するため、本発明の船舶の設備管理システムの一側面によれば、船舶に搭載された少なくともバラスト水処理設備、ボイラ設備および造水処理設備の各状態情報から選択された一つの状態情報または２以上の状態情報を含む告知情報を船舶から無線により取得する通信部と、前記船舶から取得した前記告知情報から前記バラスト水処理設備、前記ボイラ設備または前記造水処理設備の前記状態情報を抽出し、前記バラスト水処理設備、前記ボイラ設備または前記造水処理設備に少なくとも必要な薬剤情報を含む管理情報を生成し、該管理情報を少なくとも前記告知情報を送出した船舶に対して前記通信部に送出させる処理部とを備えればよい。
【０００９】
上記船舶の設備管理システムにおいて、前記処理部は、前記告知情報を送出した船舶の所有者または管理者に対して前記管理情報を前記通信部に送出させてもよい。
【００１０】
上記船舶の設備管理システムにおいて、前記管理情報は、さらに航海日誌情報またはバラスト処理報告に使用する報告書情報を含んでいてもよい。
【００１１】
上記船舶の設備管理システムにおいて、前記処理部は、前記バラスト水処理設備、前記ボイラ設備および前記造水処理設備の各設備に必要な薬剤の残量を管理し、前記薬剤の残量に応じて前記薬剤を前記船舶の寄港地に手配してもよい。
【００１２】
上記目的を達成するため、本発明の船舶の設備管理システムの一側面によれば、船舶に搭載された少なくともバラスト水処理設備、ボイラ設備および造水処理設備の各状態情報から選択される一つの状態情報または２以上の状態情報を含む告知情報を生成する処理部と、前記処理部で生成された前記告知情報を無線により送信する通信部とを備えればよい。
【００１３】
上記船舶の設備管理システムにおいて、前記通信部は、前記バラスト水処理設備、前記ボイラ設備または前記造水処理設備に少なくとも必要な薬剤情報を含む管理情報を無線で受信し、この管理情報を前記処理部に送出してもよく、前記処理部は、前記管理情報を提示してもよい。
【００１４】
上記目的を達成するため、本発明の船舶の設備管理プログラムの一側面によれば、コンピュータにより実行される設備管理プログラムであって、船舶に搭載された少なくともバラスト水処理設備、ボイラ設備および造水処理設備の各状態情報から選択される一つの状態情報または２以上の状態情報を含む告知情報を生成する機能と、前記告知情報から前記バラスト水処理設備、前記ボイラ設備または前記造水処理設備の前記状態情報を抽出し、前記バラスト水処理設備、前記ボイラ設備または前記造水処理設備に必要な薬剤情報を含む管理情報を生成する機能と、前記告知情報または前記管理情報を送出する機能とを前記コンピュータにより実現する。
【００１５】
上記目的を達成するため、本発明の船舶の設備管理方法の一側面によれば、船舶に搭載された少なくともバラスト水処理設備、ボイラ設備および造水処理設備の各状態情報から選択される一つの状態情報または２以上の状態情報を含む告知情報を生成するステップと、前記告知情報から前記バラスト水処理設備、前記ボイラ設備または前記造水処理設備の前記状態情報を抽出し、前記バラスト水処理設備、前記ボイラ設備または前記造水処理設備に必要な薬剤情報を含む管理情報を生成するステップと、前記告知情報または前記管理情報を送出するステップとを含めばよい。
【発明の効果】
【００１６】
本発明によれば、次のいずれかの効果が得られる。
【００１７】
(1)  遠隔地で航行する船舶からの告知情報に含まれる少なくともバラスト水処理設備、ボイラ設備および造水処理設備から得られる各状態情報からバラスト水処理設備、ボイラ設備および造水処理設備の状態を船舶と離れた管理センターでタイムリーに監視できる。
【００１８】
(2)  管理センターから船舶に必要な管理情報の提供ができるとともに、船舶側でその管理情報に基づいた処置を迅速に取ることができる。
【００１９】
そして、本発明の他の目的、特徴および利点は、添付図面、実施の形態および実施例を参照することにより、一層明確になるであろう。
【図面の簡単な説明】
【００２０】
【図１】一実施の形態に係る船舶の設備管理システムの一例を示す図である。
【図２】船舶側の処理シーケンスを示す図である。
【図３】Ａは管理センター側の処理シーケンスを示す図、Ｂは船舶側の処理シーケンスを示す図である。
【図４】実施例１に係る船舶の設備管理システムの一例を示す図である。
【図５】設備情報の一例を示す図である。
【図６】船舶・設備データの一例を示す図である。
【図７】管理・処理データの一例を示す図である。
【図８】データ処理装置のハードウェア構成の一例を示す図である。
【図９】管理サーバのハードウェア構成の一例を示す図である。
【図１０】バラスト水処理設備の一例を示す図である。
【図１１】バラスト水の給水処理の処理手順の一例を示すフローチャートである。
【図１２】バラスト水の排水処理の処理手順の一例を示すフローチャートである。
【図１３】ボイラ設備の一例を示す図である。
【図１４】ボイラ設備の処理手順の一例を示すフローチャートである。
【図１５】循環水の補給処理の処理手順の一例を示すフローチャートである。
【図１６】造水処理の処理手順の一例を示すフローチャートである。
【図１７】設備データ送信処理の処理手順の一例を示すフローチャートである。
【図１８】管理・処理データの作成および出力処理の処理手順の一例を示すフローチャートである。
【図１９】管理センターの変形例を示す図である。
【図２０】給排水ラインの変形例を示す図である。
【図２１】船舶選択画面の一例を示す図である。
【図２２】水処理状況画面の一例を示す図である。
【図２３】トレンド表示画面の一例を示す図である。
【図２４】積算表示画面の一例を示す図である。
【図２５】管理データ表示画面の一例を示す図である。
【図２６】薬剤情報表示画面の一例を示す図である。
【図２７】概要報告書の一例を示す図である。
【図２８】詳細報告書の一例を示す図である。
【図２９】報告書の他の例を示す図である。
【図３０】データ処理装置側の管理・処理データの出力処理の処理手順の一例を示すフローチャートである。
【図３１】管理サーバ側の管理・処理データの出力処理の処理手順の一例を示すフロー-チャートである。
【図３２】薬剤の手配処理の処理手順の一例を示すフローチャートである。
【発明を実施するための形態】
【００２１】
一実施の形態に係る船舶の設備管理システム２によれば、図１に示すように、船舶４および管理センター６が含まれる。船舶４にはバラスト水処理設備８、ボイラ設備１０、造水処理設備１２など複数の設備とともに、処理部１４および通信部１６が搭載されている。一例である船舶４は各地の海洋を航行し、無数の船舶のうちの一つを示している。バラスト水処理設備８は、船舶４に搭載されたバラスト水の殺菌などを行う機能、ＴＲＯ（Total Residual Oxidants）計、水質分析計などの分析機能を含む。ボイラ設備１０は船舶４内で使用される蒸気、高温水、温水などを生成し、バルブ開閉機能、水質分析計などの分析機能などを包含する。造水処理設備１２はたとえば、海水などを原水とし、船舶４内の使用に供する飲料水や冷却水などを製造する機能、バルブ開閉機能、水質分析計などの分析機能などを包含する。これらバラスト水処理設備８、ボイラ設備１０、造水処理設備１２は殺菌、濾過などの水処理を必要とする設備の一例であり、各設備には情報処理や制御を行うコンピュータが搭載されている。
【００２２】
処理部１４はバラスト水処理設備８、ボイラ設備１０、造水処理設備１２に有線または無線で接続され、船舶４の設備管理に必要な情報処理を担当し、たとえば、コンピュータで構成される。この処理部１４で実行される処理には、少なくともバラスト水処理設備８、ボイラ設備１０および造水処理設備１２から得られる各状態情報から選択される一つの状態情報または２以上の状態情報の組合わせ情報を含む告知情報を生成する。そして、通信部１６は処理部１４で生成された告知情報を無線により送信する。
【００２３】
通信部１６から送出された告知情報は、公衆無線通信装置の一例である公衆無線通信衛星１８を介して管理センター６に到達する。この管理センター６には、通信部２０および処理部２２が備えられる。通信部２０は船舶４側の通信部１６と公衆無線通信を媒介としてタイムリーに接続される。この通信部２０の機能は、既述の告知情報を船舶４から無線により取得する。告知情報には既述の通り、船舶４に搭載された少なくともバラスト水処理設備８、ボイラ設備１０および造水処理設備１２から得られる各状態情報から選択された一つの状態情報または２以上の状態情報が含まれる。
【００２４】
処理部２２は管理センター６に設置されたコンピュータシステムなどの情報処理設備の一例である。この処理部２２では、船舶４から取得した告知情報からバラスト水処理設備８、ボイラ設備１０または造水処理設備１２の状態情報を抽出し、バラスト水処理設備８、ボイラ設備１０または造水処理設備１２が必要とする少なくとも必要な薬剤情報を含む管理情報を生成し、該管理情報を通信部２０から、少なくとも告知情報を発した船舶４に向けて送信する。
【００２５】
なお、この実施の形態では船舶４および管理センター６で設備管理システム２を構成しているが、この設備管理システム２が船舶４側の処理部１４および通信部１６と管理センター６を以て構成してもよい。
【００２６】
＜船舶４の処理シーケンス＞
この船舶の設備管理システム２によれば、船舶４側の処理部１４により、図２に示す処理が実行される。この処理はプログラムによって実行される機能または管理方法の一例である。図２において、ステップＳは処理段階を示す。
バラスト水処理設備８では、薬品処理が行われ（ステップＳ１０１）、薬品の効果やバラスト水の水質などの状態情報の取出し（ステップＳ１０２）が行われ、この状態情報が処理部１４に送出される（ステップＳ１０３）。
ボイラ設備１０ではボイラ制御が行われ（ステップＳ１０４）、ボイラ制御や水質などの状態情報の取出し（ステップＳ１０５）が行われ、この状態情報が処理部１４に送出される（ステップＳ１０６）。
造水処理設備１２では造水処理が行われ（ステップＳ１０７）、造水処理の制御状態や製造された水の水質などの状態情報の取出し（ステップＳ１０８）が行われ、この状態情報が処理部１４に送出される（ステップＳ１０９）。
【００２７】
処理部１４では提供された各状態情報を集合させる情報処理が実行される（ステップＳ１１０）。この集合情報処理に基づき、各状態情報から一つの状態情報または２以上を含む告知情報が生成される（ステップＳ１１１）。この告知情報は、処理部１４から通信部１６に送出される（ステップＳ１１２）。
そして、通信部１６は処理部１４で制御される定期的または管理センター６からの指示情報を受け、告知情報を管理センター６に向けて送信する（ステップＳ１１３）。
【００２８】
＜管理センター６および船舶４の処理シーケンス＞
図３のＡは管理センター６側の処理シーケンスを示し、図３のＢは船舶４側の処理シーケンスを示す。各処理はプログラムによって実行される機能または管理方法の一例である。図３において、ステップＳは処理段階を示す。
【００２９】
管理センター６では図３のＡに示すように、通信部２０が船舶４からの告知情報を受信すると（ステップＳ１２１）、この告知情報が処理部２２に提供される。処理部２２では、告知情報の解析を実行し（ステップＳ１２２）、解析結果として管理情報を生成し（ステップＳ１２３）、この管理情報を通信部２０に送出する（ステップＳ１２４）。通信部２０はこの管理情報を船舶４、つまり告知情報を発した船舶４に向けて送信する（ステップＳ１２５）。
【００３０】
船舶４では図３のＢに示すように、通信部１６が管理センター６から管理情報を受信すると（Ｓ１３１）、受信した管理情報が通信部１６から処理部１４に提供される。処理部１４では、管理情報の解析を行い（ステップＳ１３２）、その解析結果として解析情報の提示を行う（ステップＳ１３３）。この解析情報は、該当するバラスト水処理設備８、ボイラ設備１０、造水処理設備１２に提供され、または処理部１４で制御される表示手段に表示される。この管理情報に基づき、バラスト水に対する薬剤など、各設備８、１０、１２に対して必要な処置を行えばよい。
【００３１】
＜一実施の形態の効果＞
(1)  この設備管理システム２によれば、バラスト水処理設備８、ボイラ設備１０、造水処理設備１２の各状態情報が一括管理され、一括情報である告知情報をタイムリーに管理センター６で受けることができる。バラスト水処理設備８、ボイラ設備１０、造水処理設備１２の各状態情報を個別に独立して告知し、その告知に基づいて必要な処置を施す場合に比較し、必要な情報の入手から薬剤などの発注、必要な操作や制御などを迅速化できる。
【００３２】
(2)  各地に点在する複数の船舶４からの告知情報を船舶毎に管理することができ、管理の簡易化と処理の迅速化を図ることができる。
【００３３】
(3)  薬剤や必要な技術者の調達など、寄港地に対して船舶４の寄港を待たずに必要な対応を取ることができる。
【実施例１】
【００３４】
実施例１について、図４を参照して説明する。図４は実施例１に係る船舶の設備管理システムの一例を示す図である。図１と同一または対応する部分には同一符号を付してある。設備管理システム２には、船舶４と、管理センター６とが備えられる。船舶４にはバラスト水処理装置８−１、ボイラ装置１０−１、造水装置１２−１などの水処理に関連する水処理設備とともに、制御装置１４−１、記憶部１４−２、通信装置１６−１アンテナ１６−２が搭載されている。管理センター６は、管理サーバ２３と、データベース２４とを備えている。船舶４と管理センター６は、無線により接続される。
【００３５】
バラスト水処理装置８−１はバラスト水処理設備８の一例である。このバラスト水処理装置８−１にはバラスト水処理の制御や処理の状態情報を出力する制御部８−２が備えられる。ボイラ装置１０−１はボイラ設備１０の一例である。このボイラ装置１０−１にはボイラ制御や水質などの制御状態を表す状態情報を出力する制御部１０−２が備えられる。また、造水装置１２−１は造水処理設備１２の一例である。この造水装置１２−１には造水制御や水質などの制御の状態情報を出力する制御部１２−２が備えられる。
【００３６】
制御装置１４−１および記憶部１４−２は処理部１４の一例である。制御装置１４−１は、記憶部１４−２にあるプログラムを実行し、各制御部８−２、１０−２、１２−２との連係を図る。つまり、制御装置１４−１では各制御部８−２、１０−２、１２−２から出力される複数の状態情報の提供を受け、一または２以上の状態情報からなる告知情報を生成する。
【００３７】
制御装置１４−１で生成された告知情報は通信部１６の一例である通信装置１６−１およびアンテナ１６−２を通し、制御装置１４−１の制御によって通信装置１６−１に接続されるアンテナ１６−２から管理センター６に向けて送信される。
【００３８】
制御装置１４−１は、バラスト水処理装置８−１、ボイラ装置１０−１、および造水装置１２−１に有線または無線で接続され、少なくともバラスト水処理装置８−１、ボイラ装置１０−１および造水装置１２−１から得られる設備データ１１を通信装置１６−１および公衆無線通信衛星１８を介して管理センター６に送信する。設備データ１１は、一実施の形態で示した状態情報および告知情報の一例である。
【００３９】
制御装置１４−１には記憶部１４−２が備えられ、情報処理機能を備えるコンピュータを含み、たとえばパーソナルコンピュータ（ＰＣ）、タブレットＰＣまたはスマートフォンである。制御装置１４−１は、バラスト水処理装置８−１、ボイラ装置１０−１、および造水装置１２−１から受けた設備データ１１を記憶部１４−２に記憶し、この設備データ１１に設備を特定するための設備指標を付加し、設備指標を付した設備データ１１を通信装置１６−１に出力する。
【００４０】
この制御装置１４−１の制御、情報処理では、たとえば一設備の水種別毎に設備データ１１を組合わせ、一設備の水種別毎に設備データ１１に設備指標を付加する。組合わせる他の設備データ１１がない場合などでは、一設備データ１１に設備指標を付加してもよい。このようにして設備指標を付した設備データ１１は、単独で出力してもよく、複数の設備データ１１を組合わせて、定期または不定期にまとめて出力してもよい。このようなデータの組み合わせ処理により設備データ１１が集合化される。
【００４１】
設備指標は、たとえば管理サーバ２３側から提供を受けた設備情報に基づき付加すればよい。たとえば設備や水種別毎に設定されている設備情報中のファイル名を設備指標として使用することができる。この場合、制御装置１４−１は、設備や水種別に対応するファイル名を設備データ１１に付ければよい。
【００４２】
制御装置１４−１は、更に管理センター６から受ける管理・処理データ（管理／処理データ）３０を記憶、表示または印刷する。管理・処理データ３０は、一実施の形態で示した管理情報の一例である。
【００４３】
バラスト水処理装置８−１は、船舶の安定に用いられるバラスト水を処理する装置である。このバラスト水は、たとえば船底のタンクに注入される。このバラスト水処理装置８−１は、制御部８−２の制御により、たとえば、２００４年２月に採択された「船舶バラスト水および沈殿物の管制および管理のための国際条約」（以下「バラスト水管理条約」という）の附属書である「バラスト水および沈殿物の管制および管理規則」のＤ節に規定されている「バラスト水管理基準」を満たすようにバラスト水を処理する。バラスト水処理装置８−１は、バラスト水の注水時に、次亜塩素酸ナトリウムや次亜塩素酸カルシウムなどの塩素系活性物質の殺滅剤をバラスト水に注入し、微生物等を殺滅させる。また、バラスト水処理装置８−１は、バラスト水を排水する前に、中和剤でバラスト水を中和する。バラスト水処理装置８−１では、バラスト水処理装置８−１の稼動情報、バラスト水の水質、バラスト水の注水量、バラスト水の排水量、バラスト水の残量などが設備データ１１として管理されるほか、殺滅剤や中和剤などの薬剤の使用量およびその残量などが設備データ１１として管理される。
【００４４】
ボイラ装置１０−１は、船舶４の航行に必要な蒸気または船内で必要な蒸気を生成する。このボイラ装置１０−１は、たとえば主エンジンの蒸気タービンを駆動するための蒸気を生成する主ボイラ、排ガスの熱で蒸気を生成する排ガスボイラ、油の燃焼熱で蒸気を発生させる油焚きボイラ、または油焚きボイラに排ガスを通して蒸気を発生させるコンポジットボイラである。ボイラ装置１０−１での蒸気の生成には、処理水ＢＷが使用される。この処理水ＢＷは、長時間の使用により濃縮され、処理水ＢＷに含まれる不純物によって配管内にスライムやスケールが発生する。そのため、ボイラ装置１０−１では、処理水ＢＷの水質が定期または不定期に測定および分析されるとともに管理される。ボイラ装置１０−１では、ボイラ装置１０−１の稼動情報、ボイラ装置１０−１で使用される処理水ＢＷの水質などの情報が設備データ１１として管理されるほか、スケール防止剤、防食剤、スラッジ分散剤、殺菌剤、スライム防止剤などのボイラ装置１０−１で使用される薬剤の残量などが設備データ１１として管理される。
【００４５】
造水装置１２−１は、船舶４で生じた使用済みの水、雨水などの淡水または海水から清水を生成する。この清水は、たとえば電気二重層によるイオン除去、脱塩処理、電気透析、逆浸透膜によるろ過、または蒸留により生成される。生成した清水は、たとえば、ボイラ装置１０−１の処理水ＢＷ、冷却設備の冷却水、生活用水および雑用水に用いられる。この造水装置１２−１で生成した清水の水質は、定期または不定期に測定および分析され、管理される。造水装置１２−１では、造水装置１２−１の稼動情報、造水装置１２−１で生成した清水の水質などの情報が設備データ１１として管理されるほか、スケール防止剤、防食剤、ミネラル剤および水配管タンクの洗浄剤などの造水装置１２−１で使用される薬剤の残量が設備データ１１として管理される。
【００４６】
通信装置１６−１は、公衆無線通信衛星１８を介して陸上側と通信する無線通信装置の一例である。この通信装置１６−１には、アンテナ１６−２が備えられ、制御装置１４−１に接続される。通信装置１６−１は、制御装置１４−１から受信した設備データ１１を無線信号に変調し、この無線信号をアンテナ１６−２から出力する。また、通信装置１６−１は、アンテナ１６−２で受信した無線信号をデータに復調し、制御装置１４−１に出力する。
【００４７】
公衆無線通信衛星１８は、たとえばインマルサット衛星等の通信衛星である。この公衆無線通信衛星１８は、通信装置１６−１と陸上側に設置された通信設備２６とを無線で接続する。つまり、通信装置１６−１および通信設備２６は、公衆無線通信衛星１８を介して無線で通信する。公衆無線通信衛星１８および通信設備２６による無線通信回線は、たとえば通信会社の提供を受ければよい。
【００４８】
通信設備２６は、通信ネットワーク２７を介して管理センター６に接続している。通信ネットワーク２７は、データを伝送させる通信回線の一例であり、データを伝送できればよく、たとえばインターネット、またはイントラネットである。
【００４９】
管理サーバ２３は、通信装置１６−１から受ける設備データ１１に基づきバラスト水処理装置８−１、ボイラ装置１０−１、造水装置１２−１などの水処理設備を管理する管理装置の一例である。この管理サーバ２３は、通信装置１６−１から受ける設備データ１１をデータベース２４が記憶する設備情報に関連付けて船舶・設備データ（船舶＆設備データ）２８を生成し、この船舶・設備データ２８をデータベース２４に記憶させる。管理サーバ２３は、設備データ１１を定期または不定期に受け、これらの設備データ１１から生成する船舶・設備データ２８をデータベース２４に記憶させる。このため、データベース２４には、船舶・設備データ２８が蓄積される。
【００５０】
管理サーバ２３は、船舶・設備データ２８を用いて、水処理設備に係る管理・処理データ３０を船舶毎に生成し、この管理・処理データ３０を、たとえばデータベース２４に記憶させ、船舶に関わる顧客に通信ネットワーク２７を介して提供する。船舶に関わる顧客は、たとえば設備データ１１を発した船舶４、この船舶４を所有する船舶所有者（たとえば船舶所有会社）および船舶４を管理する船舶管理者（たとえば船舶管理会社）である。管理サーバ２３は、管理・処理データ３０のデータベース２４への記憶、顧客への提供を繰り返す。したがって、データベース２４には、管理・処理データ３０が蓄積され、設備データ１１の一括的な管理および一括的な顧客への提供が図られている。
【００５１】
管理・処理データ３０は、たとえば設備データ１１の解析結果、水処理設備の診断結果、または設備データ１１の傾向を表すトレンドグラフに係るデータであり、水処理設備の処理データまたは管理データの少なくともいずれかを含む。処理データは、水処理設備の処理状態を表すデータであり、たとえば水処理設備による処理量、水処理設備への薬剤の注入量、水処理設備で使用する水または水処理設備で生成する水の計測または分析結果を含む。管理データは、水処理設備の管理に必要なデータであり、たとえば水処理設備に使用する薬剤の貯留量、温度もしくは濃度などの薬剤情報、水処理設備の警報履歴、水処理設備の電力消費量、バラスト水の注水場所情報、およびバラスト水の排水場所情報を含む。これらのデータは一例であり、既述のデータに本発明が限定されるものではない。処理データおよび管理データの両方に該当するデータについては、処理データまたは管理データの何れかとして扱えばよい。
【００５２】
管理・処理データ３０は、たとえば管理サーバ２３が含むデータ解析機能、データ診断機能およびデータ加工機能を用いて生成すればよい。管理サーバ２３のデータ解析機能は、データベース２４に記憶されている船舶・設備データ２８を解析し、たとえば船舶・設備データ２８に含まれる設備データ１１の平均値を生成し（設備データ１１の平均値化）、設備データ１１の上昇速度や下降速度等を計算し、設備データ１１のトレンド（傾向）を診断する（トレンド診断）。また、データ解析機能は、設備データ１１の平均値化およびトレンド診断を介して設備データ１１を指標値化し、この指標値化された設備データ１１を解析する。管理サーバ２３のデータ診断機能は、解析したデータを診断し、たとえばデータ解析機能で得られた指標値を設備異常の判定に用いる閾値と対比し、水処理設備の異常を検出および診断する。管理サーバ２３のデータ加工機能は、表示や印刷に適した様式にデータを加工し、たとえば異なる時間に得られる同種の時系列データに基づき卜レンドグラフを生成するなど、設備データ１１を加工する。
【００５３】
データベース２４は、バラスト水処理装置８−１、ボイラ装置１０−１、造水装置１２−１などの水処理設備に係るデータを蓄積および整理する。データベース２４は、たとえば磁気記憶装置、光ディスク、半導体メモリ等の記憶装置で形成される。また、データベース２４は、たとえばクラウドコンピューティングなどのネットワークサービスであって、管理センター６の外部に設置してもよい。データベース２４は、運転データベースと、設備情報データベースとを含んでいる。運転データベースは、船舶・設備データ２８や管理・処理データ３０を保存する。設備情報データベースは、各水処理設備の設置船舶、設備名称、設備種別、および設備仕様を含む設備情報を記憶する。この設備情報データベースには、さらに船舶の運航計画や船舶設備のメンテナンス履歴等の設備情報が記憶されていてもよい。この設備情報データベースは、管理対象の水処理設備が複数ある場合に設定すればよい。データベース２４は、管理サーバ２３に有線または無線で接続される。
【００５４】
＜設備情報＞
図５は、設備情報データベースに記憶される設備情報の一例を示している。
【００５５】
設備情報３４は、たとえば船舶コード３６、船舶名情報３８、設備コード４０、設備名情報４２、水種別名情報４４およびファイル名情報４６を含む。船舶コード３６および船舶名情報３８は、顧客が保有する船舶を表す。船舶コード３６は、たとえば１０桁の文字列「ＡＢＣＤＥＦＧ００１」であって、アルファベット、数字またはアルファベットと数字の組み合わせからなる。船舶名情報３８は、船舶コード３６に対応し、たとえば企業名「Ａ株式会社」と船舶名「ＡＡＡ」を含む。
【００５６】
設備コード４０および設備名情報４２は、船舶４に設置される水処理設備を表す。設備コード４０は、たとえば７桁の文字列「ＡＢＣＤ００１」であって、アルファベット、数字またはアルファベットと数字の組み合わせからなる。設備名情報４２は、設備コード４０に対応し、「バラスト水処理設備」、「ボイラ設備」、「造水処理設備」等の設備名を含む。水種別名情報４４は、各設備で処理している水の種別を表し、たとえば「バラスト水」、「処理水」、「清水」等の処理水名を含む。この処理水名に列挙されている処理水のデータは、船舶側で採取され、陸地側で分析および管理される。
【００５７】
ファイル名情報４６は、通信装置１６−１が管理サーバ２３に設備データ１１を送信する際のデータ送信仕様を表している。管理サーバ２３は、設備データ１１に付されたファイル名を設備情報３４のファイル名情報４６と対比し、設備データ１１に係る設備を特定し、設備データ１１を設備情報３４に関連付ける。ファイル名情報４６は、たとえば送信用ＣＳＶファイル名であり、一例として「ＵｐｌｏａｄＦｉｌｅ００１．ｃｓｖ」である。
【００５８】
＜船舶・設備データ２８＞
図６は、船舶・設備データ２８の一例を示している。
【００５９】
船舶・設備データ２８は、たとえば日付情報４８、時刻情報５０、船舶コード３６、設備コード４０、水種別名情報４４、設備データ５２およびセンサ校正日情報５４を含む。設備データ５２は、船舶４から受信した設備データ１１をデータベース化したデータである。船舶コード３６は、設備データ５２を送信した船舶４を特定するための情報であり、設備コード４０および水種別名４４は、設備データ５２に係る設備や水種別を特定するための情報である。日付情報４８は、設備データ５２が採取され、または分析された日付を表し、時刻情報５０は設備データ５２が採取され、または分析された時刻を表す。センサ校正日情報５４は、設備データ５２の取得または分析に用いたセンサの校正日を表す。
【００６０】
設備データ５２は、図６のＢに示すように、たとえばバラスト水の注水量、バラスト水の排水量、バラスト水のＴＲＯ濃度、殺滅剤の使用量、中和剤の使用量などである。ＴＲＯは、総残留酸化物であって、バラスト水中の微生物等の殺滅指標およびバラスト水の中和指標の一例である。また、設備データ５２は、たとえば処理水の溶存成分濃度、イオン濃度、電気伝導度などである。この船舶・設備データ２８は一例であって、設備の稼働状態を示す情報として、設備の起動開始または停止を表す稼動情報、設備で処理、生成または使用する水の水量、水圧情報、または設備で処理、生成または使用する水の処理に用いる薬剤の投入量等の情報をさらに含んでいてもよい。
【００６１】
＜管理・処理データ３０＞
図７は、管理・処理データの一例を示している。この管理・処理データ３０は、たとえば船舶コード３６、設備コード４０、水種別名情報４４、日付情報４８、時刻情報５０および設備データ５２を含む。この管理・処理データ３０では、特定の船舶４、設備の水に係る設備データ５２が集められている。この管理・処理データ３０では、時刻情報５０が異なる特定の設備データ５２が時系列に格納され、時間経過に係る設備データ１１の傾向が示されている。この管理・処理データ３０は、トレンドグラフの生成に使用することができる。管理・処理データ３０は、図７に示すような表形式に限定されるものではなく、設備データ１１の解析結果または設備の診断結果を示すような形式でデータベースに記憶していてもよい。
【００６２】
＜処理部１４＞
図８は、処理部１４のハードウェア構成の一例を示している。処理部１４の制御装置１４−１は、通信部５６と、プロセッサ５８と、表示部６２と、入力部６４と、Ｉ／Ｏ（Input-Output）６６とを備える。
【００６３】
通信部５６は、水処理設備および通信装置１６−１に接続し、水処理設備および通信装置１６−１とデータを通信する。通信部５６は、たとえばＲＳ−２３２Ｃ、ＵＳＢ（Universal Serial Bus）等のシリアル通信ケーブルやＬＡＮ（Local Area Network）ケーブルを介して有線でバラスト水処理装置８−１、ボイラ装置１０−１、造水装置１２−１などの水処理設備および通信装置１６−１に接続する。また、通信部５６は、たとえばＷｉ−Ｆｉ（Wireless Fidelity）等の無線ＬＡＮを介して無線で水処理設備および通信装置１６−１に接続してもよい。
【００６４】
プロセッサ５８は、情報を処理する情報処理部の一例であり、たとえば中央処理装置（Central Processing Unit：ＣＰＵ）である。プロセッサ５８は、メモリ部６０に記憶されているＯＳ（Operating System）および設備管理プログラムを実行し、各種の情報処理を行う。また、プロセッサ５８が実行する情報処理は、通信部５６での通信制御、表示部６２での表示制御、入力部６４での入力制御、およびＩ／Ｏ６６での入出力制御を含む。
【００６５】
メモリ部６０は、プロセッサ５８が実行するＯＳや設備管理プログラム等のプログラムを記憶するとともに、水処理設備から受信した設備データ１１、管理サーバ２３から受信した設備情報３４および管理・処理データ３０を記憶する記憶装置の一例である。メモリ部６０はプロセッサ５８の制御により各種情報の記憶または読出しが行われる。メモリ部６０にはＲＯＭ（Read-Only Memory）、ＲＡＭ（Random-Access Memory）、ＥＥＰＲＯＭ（Electrically Erasable Programmable Read-Only Memory）、ＮＡＮＤ型フラッシュメモリ、ＮＯＲ型フラッシュメモリなどの記憶素子の一つまたは複数が備えられる。この記憶素子にはハードディスク装置や半導体記憶装置を用いてもよい。
【００６６】
表示部６２は、たとえば液晶ディスプレイ、ＬＥＤ（Light Emitting Diode）ディスプレイまたは有機ＥＬディスプレイ等のディスプレイを含み、管理サーバ２３から取得した管理・処理データ３０に基づき設備データ１１の解析結果、水処理設備の診断結果、またはトレンドグラフ等を表示する。入力部６４は、たとえばキーボード、マウス、タッチパネルまたはハードウェアキーであり、ユーザによる操作を受け付け、この操作に基づく操作情報を生成し、プロセッサ５８に出力する。入力部６４は、たとえば制御装置１４−１を使用するユーザのＩＤ（Identification）や、制御装置１４−１のロックを解除するためのパスワ一ドの入力を受け付ける。Ｉ／Ｏ６６は、周辺装置に接続し、周辺装置とデータを通信する。周辺装置は、たとえば外付けの表示装置、外付けの入力装置またはプリンタである。
【００６７】
＜管理サーバ２３＞
図９は管理サーバのハードウェア構成の一例を示している。この管理サーバ２３は、通信部２０と、プロセッサ７０、メモリ部７２およびＩ／Ｏ７４を含む処理部２２を備える。図１と同一部分には同一符号を付している。
【００６８】
通信部２０は、通信ネットワーク２７に接続し、通信ネットワーク２７とデータを通信する。通信部２０は、たとえばＬＡＮケーブル等を用いて有線で通信ネットワーク２７に接続する。通信部２０は、たとえばＷｉ−Ｆｉ等の無線ＬＡＮを介した無線で通信ネットワーク２７に接続してもよい。
【００６９】
プロセッサ７０は、情報を処理する情報処理部の一例であり、たとえば中央処理装置である。プロセッサ７０は、メモリ部７２に記憶されているＯＳおよび設備管理プログラムを実行し、既述のデータ解析機能、データ診断機能、およびデータ加工機能を実行し、データベース２４にデータを読み書きするとともに管理・処理データ３０を提供する。
【００７０】
メモリ部７２は、プロセッサ７０が実行するＯＳや設備管理プログラム等のプログラムを記憶する記憶装置の一例である。また、メモリ部７２は、船舶・設備データ２８、管理・処理データ３０または設備情報３４の記憶に用いられてもよい。メモリ部７２はプロセッサ７０の制御により各種情報の記憶または読出しが行われる。メモリ部７２にはＲＯＭ、ＲＡＭ、ＥＥＰＲＯＭ、ＮＡＮＤ型フラッシュメモリ、ＮＯＲ型フラッシュメモリなどの記憶素子の一つまたは複数が備えられる。この記憶素子にはハードディスク装置や半導体記憶装置を用いてもよい。
【００７１】
Ｉ／Ｏ７４は、既述の表示装置、入力装置、データベース２４に接続されて、画像データの入出力や、入力装置の操作により生成される操作情報の入力、データベース２４とのデータの送受に用いられる。
【００７２】
＜バラスト水処理設備８＞
図１０は、バラスト水処理装置８−１およびその制御部を含むバラスト水処理設備の一例を示している。
【００７３】
バラスト水処理装置８−１は、バラストタンク７６と、バラストタンク７６に接続された給排水ライン７８と、給排水ライン７８に接続された殺滅剤供給ライン８０および中和剤供給ライン８２とを備えている。
【００７４】
給排水ライン７８は、主ライン８３を備え、この主ライン８３にバラスト注水弁８４、バラストポンプ（Ｂ．Ｐ）８６、ミキサー８８、バラスト流量計（Ｆ１）９０、バラストタンク入口弁９２を備えている。バラスト注水弁８４は、海からバラスト水を取り込む注水口（Ｓ．Ｃ）の下流に設置され、弁の開閉により注水口から給水されるバラスト水を通過または閉止する。バラストポンプ８６は、バラスト注水弁８４の下流側に設置され、駆動によりバラスト水をミキサー８８に流す。ミキサー８８は、バラストポンプ８６の下流に設置され、バラストポンプ８６とミキサー８８の間に注入される殺滅剤または中和剤をバラスト水に混合する。バラスト流量計９０は、ミキサー８８の下流に設置され、殺滅剤または中和剤を含むバラスト水の流量を計測する。バラストタンク入口弁９２は、バラスト流量計９０の下流に設置され、弁の開閉によりバラスト水を通過または閉止する。バラストタンク入口弁９２を通過したバラスト水は、バラストタンク７６に注がれる。
【００７５】
給排水ライン７８は、更に主ライン８３に並設する分岐ライン９４、および排水ライン９８を備え、この分岐ライン９４にバラストタンク出口弁９６を備え、排水ライン９８にバラスト排水弁１００を備える。分岐ライン９４の一端は、バラストタンク入口弁９２とバラストタンク７６の間に接続し、他端は、バラスト注水弁８４とバラストポンプ８６の間に接続する。排水ライン９８は、バラスト流量計９０とバラストタンク入口弁９２の間で主ライン８３に接続する。この分岐ライン９４および排水ライン９８は、バラスト水の排水に用いられる。
【００７６】
バラストタンク出口弁９６は、弁の開閉により分岐ライン９４中のバラスト水を通過または閉止する。バラスト排水弁１００は、弁の開閉により排水ライン９８中のバラスト水を通過または閉止する。バラスト注水弁８４およびバラストタンク入口弁９２を閉じ、バラストタンク出口弁９６およびバラスト排水弁１００を開けると、バラスト水の排水経路が形成される。バラストポンプ８６を稼働させると、バラストタンク７６内のバラスト水は、分岐ライン９４、バラストポンプ８６、ミキサー８８、バラスト流量計９０の順に流れ、排水ライン９８を通って排水口から海に排水される。
【００７７】
給排水ライン７８は、重力注排水ライン１０２と、重力注排水弁１０４とを備える。重力注排水ライン１０２は、分岐ライン９４をバラストポンプ８６とミキサー８８の間の主ライン８３に接続する。重力注排水ライン１０２に配置された重力注排水弁１０４を開けると、バラストポンプ８６を迂回する迂回路が形成され、重力によるバラスト水の給水または排水が可能になる。
【００７８】
給排水ライン７８は、更にバイパスライン１０６を備え、このバイパスライン１０６にバイパス弁１０８を備えてもよい。バイパスライン１０６およびバイパス弁１０８は、バラストポンプ８６からミキサー８８までのラインの迂回路を形成する。
【００７９】
この給排水ライン７８は、さらにバラスト水のＴＲＯを測定する第１のＴＲＯ計（ＴＲＯ１）１１０−１および第２のＴＲＯ計（ＴＲＯ２）１１０−２を備えている。ＴＲＯ計１１０−１は、重力注排水ライン１０２の接続点とミキサー８８の間に設定された第１のＴＲＯ計測点のＴＲＯを計測する。この第１のＴＲＯ計測点では、ＴＲＯ計１１０−１は、中和剤の注入前の高濃度のＴＲＯを計測する。第１のＴＲＯ計測点での計測結果は、バラスト流量計９０の流量とともにバラスト水排水時の中和剤の注入量の決定に用いられる。ＴＲＯ計１１０−１は、さらにバラスト流量計９０とバラストタンク入口弁９２の間に設定された第２のＴＲＯ計測点のＴＲＯを計測する。この第２のＴＲＯ計測点では、ＴＲＯ計１１０−１は、殺滅剤の注入後の高濃度のＴＲＯを計測する。第２のＴＲＯ計測点での計測結果は、殺滅剤注入後のＴＲＯの濃度が適正であるか否かの判断及び殺滅剤の注入量のフィードバック制御に用いられる。ＴＲＯ計１１０−２は、バラスト流量計９０とバラストタンク入口弁９２の間の第３のＴＲＯ計測点のＴＲＯを計測する。第３のＴＲＯ計測点では、ＴＲＯ計１１０−２は、中和剤の注入後のＴＲＯを計測する。第３のＴＲＯ計測点での計測結果は、中和剤によるバラスト水の中和が適正であるか否かの判断に用いられる。これらのＴＲＯ計１１０−１、１１０−２は、たとえばＤＰＤ（ジエチル−Ｐ−フェニレンジアミン）吸光光度法を用いた計測器である。このＤＰＤ吸光光度法を用いたＴＲＯ計は、ＤＰＤ試薬を添加したバラスト水の光の吸収割合から、残留塩素濃度を計測する。
【００８０】
殺滅剤供給ライン８０は、第１のＴＲＯ計測点とミキサー８８の間の主ライン８３に接続し、バラスト水に殺滅剤を注入する。殺滅剤供給ライン８０は、殺滅剤冷却チラー１１２と、殺滅剤タンク１１４と、殺滅剤注入ポンプ（Ｐ）１１６と、殺滅剤流量計（Ｆ１）１１８とを備える。
【００８１】
殺滅剤冷却チラー１１２は、殺滅剤を冷却する冷却装置の一例である。殺滅剤冷却チラー１１２は、殺滅剤タンク１１４に接続され、殺滅剤タンク１１４内の殺滅剤をたとえば２〜２０℃の範囲、好ましくは２〜１０℃の範囲に冷却し、殺滅剤の温度上昇による劣化を抑制する。殺滅剤注入ポンプ１１６は、殺滅剤タンク１１４内の殺滅剤を、殺滅剤流量計１１８を介してバラスト水に注入する。殺滅剤流量計１１８は、バラスト水に注入される殺滅剤の流量を計測する。
【００８２】
中和剤供給ライン８２は、第１のＴＲＯ計測点とミキサー８８の間の主ライン８３に接続し、バラスト水に中和剤を注入する。中和剤供給ライン８２は、中和剤溶解槽１２０と、中和剤タンク１２２と、中和剤注入ポンプ（Ｐ）１２４と、中和剤流量計（Ｆ１）１２６と、中和剤供給弁１２８とを備える。中和剤溶解槽１２０は、攪拌装置を備え、所定の濃度の中和剤を作り、中和剤を一定の期間維持する。中和剤には、たとえば亜硫酸ナトリウム、重亜硫酸ナトリウム（亜硫酸水素ナトリウム）、チオ硫酸ナトリウムなどを用いることができる。中和剤には、特にチオ硫酸ナトリウムを用いるのが好ましい。中和剤溶解槽１２０は、中和剤の原料が不足した際に原料の補充を警告する警報装置を備える。この中和剤溶解槽１２０は、中和剤供給弁１２８を介して中和剤タンク１２２に接続している。中和剤供給弁１２８を開けると、中和剤溶解槽１２０内の中和剤が中和剤タンク１２２に移動する。中和剤注入ポンプ１２４は、中和剤タンク１２２内の中和剤を、中和剤流量計１２６を介してバラスト水に注入する。中和剤流量計１２６は、バラスト水に注入される中和剤の流量を計測する。
【００８３】
このバラスト水処理設備８は、さらにバラスト水処理設備８を制御する制御部１３０を備えている。この制御部１３０は、制御部８−２の一例であり、各弁、各ポンプ、各計測器および殺滅剤冷却チラー１１２に接続し、各計測器の計測値を受け、各弁の開閉、各ポンプの運転もしくは停止、および殺滅剤冷却チラー１１２の稼働もしくは停止を制御する。また、制御部１３０は、各計測器、各弁、各ポンプ、および殺滅剤冷却チラー１１２から得る設備データ１１を作業日時とともに記録し、制御装置１４−１に送信する。
【００８４】
バラスト水処理設備８は、たとえばカメラを含む撮影装置１３２−１、１３２−２、１３２−３を備える。撮影装置１３２−１は、ミキサー８８、バラスト流量計９０およびＴＲＯ計１１０−１、１１０−２の周辺に設置され、ミキサー８８、バラスト流量計９０およびＴＲＯ計１１０−１、１１０−２を撮影する。撮影装置１３２−２は、殺滅剤供給ライン８０の周辺に設置され、殺滅剤供給ライン８０を撮影する。撮影装置１３２−３は、中和剤供給ライン８２の周辺に設置され、中和剤供給ライン８２を撮影する。撮影装置１３２−１、１３２−２、１３２−３の撮影結果は、制御部１３０を介してまたは撮影装置１３２−１、１３２−２、１３２−３から直接、船舶４のネットワークに配信され、または通信装置１６−１を介して管理サーバ２３に送信される。
【００８５】
＜バラスト水処理設備８の処理手順＞
図１１は、バラスト水の給水の処理手順の一例を示し、図１２は、バラスト水の排水の処理手順の一例を示している。これらの処理は、バラスト水処理設備８の制御部１３０で実行される。各処理はプログラムによって実行される機能または管理方法の一例である。図１１、時１２において、ステップＳは処理段階を示す。
【００８６】
バラスト水の給水処理では、制御部１３０は、バラスト注水弁８４およびバラストタンク入口弁９２を開き（ステップＳ２１１）、バラストポンプ８６および殺滅剤注入ポンプ１１６を運転し（ステップＳ２１２）、バラスト水の給水および殺滅剤の注入を開始する。制御部１３０は、既述の第２のＴＲＯ計測点でのＴＲＯ計１１０−１の計測結果に基づき、殺滅剤の注入量を調整する（ステップＳ２１３）。この注入量の調整は、たとえば殺滅剤注入ポンプ１１６の調整により行われる。バラスト水のＴＲＯの濃度は、Ｃｌ2としてたとえば２〜３０〔ｍｇ／Ｌ〕に調整される。
【００８７】
制御部１３０はバラスト水の注入終了か否かを判断し（ステップＳ２１４）、終了でない場合（ステップＳ２１４のＮＯ）、ステップＳ２１３およびステップＳ２１４を繰り返す。バラスト水の注入終了である場合（ステップＳ２１４のＹＥＳ）、制御部１３０は、バラストポンプ８６および殺滅剤注入ポンプ１１６を停止し（ステップＳ２１５）、バラスト水の給水および殺滅剤の注入を終了する。また、制御部１３０は、バラスト注水弁８４およびバラストタンク入口弁９２を閉じ（ステップＳ２１６）、バラスト水の給水の処理を終了する。
【００８８】
このバラスト水の給水処理において、制御部１３０は、バラスト流量計９０が計測したバラスト水の流量、および殺滅剤流量計１１８が計測した殺滅剤の流量、ＴＲＯ計１１０−１が計測したＴＲＯの濃度を作業日時とともに記録する。バラスト水の流量から、バラストタンク７６内のバラスト水量などが得られ、殺滅剤の流量から、殺滅剤タンク１１４内の殺滅剤の残量などが得られる。制御部１３０は、記録したこれらの設備データ１１を制御装置１４−１に送信する。
【００８９】
バラスト水の排水処理では、制御部１３０は、バラストタンク出口弁９６およびバラスト排水弁１００を開き（ステップＳ２２１）、バラストポンプ８６および中和剤注入ポンプ１２４を運転し（ステップＳ２２２）、バラスト水の排水および中和剤の注入を開始する。制御部１３０は、既述の第１のＴＲＯ計測点でのＴＲＯ計１１０−１の計測結果に基づき、中和剤の注入量を調整し（ステップＳ２２３）、既述の第３のＴＲＯ計測点でのＴＲＯ計１１０−２の計測結果に基づき中和後のバラスト水のＴＲＯを確認する（ステップＳ２２４）。この中和剤の注入量の調整は、たとえば中和剤注入ポンプ１２４の調整により行われる。中和後のバラスト水のＴＲＯの濃度は、Ｃｌ2としてたとえば０．５〜３〔ｍｇ／Ｌ〕に調整される。
【００９０】
制御部１３０はバラスト水の排水終了かを判断し（ステップＳ２２５）、終了でない場合（ステップＳ２２５のＮＯ）、ステップＳ２２３からステップＳ２２５を繰り返す。バラスト水の排水終了である場合（ステップＳ２２５のＹＥＳ）、制御部１３０は、バラストポンプ８６および中和剤注入ポンプ１２４を停止し（ステップＳ２２６）、バラスト水の排水および中和剤の注入を終了する。また、制御部１３０は、バラストタンク出口弁９６およびバラスト排水弁１００を閉じ（ステップＳ２２７）、バラスト水の排水処理を終了する。
【００９１】
このバラスト水の排水処理において、制御部１３０は、バラスト流量計９０が計測したバラスト水の流量、および中和剤流量計１２６が計測した中和剤の流量、ＴＲＯ計１１０−１、１１０−２が計測したＴＲＯの濃度を作業日時とともに記録する。バラスト水の流量から、バラストタンク７６内のバラスト水量が得られ、中和剤の流量から、中和剤タンク１２２内の中和剤の残量が得られる。制御部１３０は、記録したこれらの設備データ１１を制御装置１４−１に送信する。
【００９２】
＜ボイラ設備１０＞
図１３は、ボイラ設備の一例を示している。ボイラ設備１０は、ボイラ装置１０−１と、循環装置１３８と、給水装置１４０と、制御部１０−２の一例である制御部１４２とを備える。
【００９３】
ボイラ装置１０−１は、たとえばコンポジットボイラであり、主機関から排出される排ガス熱および油焚きによる熱の熱交換により水から蒸気を生成する。ボイラ装置１０−１は、筐体１４４と、主機煙管１４６と、油焚き部１４８と、油焚き煙管１５０とを備える。主機煙管１４６、油焚き部１４８、油焚き煙管１５０は、筐体１４４内に配置され、筐体１４４内の処理水ＢＷが主機煙管１４６、油焚き部１４８および油焚き煙管１５０の放熱により加熱され、蒸気室１５２に蒸気が生成される。生成された蒸気は、船舶４の蒸気ラインに送られる。
【００９４】
循環装置１３８は、蒸気ラインから回収される蒸気を処理水ＢＷに戻し、この処理水ＢＷをボイラ装置１０−１に戻す手段の一例であり、復水装置１５４と、給水タンク１５６と、給水ポンプ１５８とを備える。復水装置１５４は、蒸気ラインから回収した蒸気を冷却して処理水ＢＷに戻す。復水装置１５４の処理水ＢＷは、給水タンク１５６に送られ、給水タンク１５６に溜められる。給水ポンプ１５８は、給水タンク１５６の処理水ＢＷをボイラ装置１０−１に供給する。このボイラ設備１０では、ボイラ装置１０−１および循環装置１３８により循環経路が形成されている。
【００９５】
給水装置１４０は、処理水ＢＷを補給する処理水補給手段の一例である。処理水ＢＷは、既述の循環経路外に蒸発し、時間経過につれて減少する。給水装置１４０は、処理水ＢＷを補給し、処理水ＢＷの量を維持する。給水装置１４０は、補給水タンク１６２と、補給水ポンプ１６４と、流量計１６６と、薬剤タンク１６８と、薬剤注入ポンプ１７０と、圧力計１７２とを備えている。補給水タンク１６２は、例えば造水装置１２−１が生成した水を溜める。補給水ポンプ１６４は、補給水タンク１６２および給水タンク１５６に接続され、たとえば給水タンク１５６の水位低下により運転し、補給水タンク１６２中の水を給水タンク１５６に移送する。このとき、薬剤タンク１６８内の薬品の移送量が補給水の移送量よりも少なくなるように、薬剤注入ポンプ１７０は制御され、薬剤が補給水タンク１６２に流れ込むのを防止する。または、補給水タンク１６２の水出口に逆止弁を設置し、薬剤の補給水タンク１６２への流入を防止する。流量計１６６は、補給水タンク１６２と補給水ポンプ１６４の間に配置され、ボイラ設備１０の循環経路に補給される水の水量を計測する。
【００９６】
薬剤タンク１６８は、処理水ＢＷを処理する薬剤を溜める。この薬剤は、処理水ＢＷの減少によるイオン成分の濃縮およびスケールの生成等を抑制するものであり、たとえば既述のスケール防止剤、防食剤、スラッジ分散剤、殺菌剤、スライム防止剤などである。薬剤注入ポンプ１７０は、薬剤タンク１６８と、補給水タンク１６２と流量計１６６の間の配管に接続され、薬剤タンク１６８中の薬剤を給水タンク１５６側に移送する。薬剤の注入量は、たとえば流量計１６６が計測する水の流量に基づいて制御部１４２により比例制御され、適量の薬剤が含まれる水がボイラ設備１０の循環経路に補給される。圧力計１７２は、薬剤タンク１６８中の薬剤の残量を計測する残量計の一例であり、薬剤タンク１６８および薬剤の重量を計測する。圧力計１７２の計測結果から薬剤タンク１６８の重量を除くことで、薬剤の残量が得られる。
【００９７】
制御部１４２は、たとえばプロセッサまたはＰＬＣ（プログラマブルロジックコントローラ）を含み、蒸気量に応じて油焚き部１４８を運転または停止させ、ボイラ装置１０−１内の処理水ＢＷの水量に応じて給水ポンプ１５８を運転または停止させ、給水タンク１５６の水量に応じて補給水ポンプ１６４を運転または停止させ、流量計１６６が計測する水の流量に応じて薬剤注入ポンプ１７０を運転、停止または調整する。制御部１４２は、各計測器、各弁および各ポンプから得る設備データ１１を作業日時とともに記録し、制御装置１４−１に送信する。
【００９８】
水質分析計１７４は、ボイラ設備１０の処理水ＢＷ等の循環水、その他の測定対象の水質を分析する分析装置の一例である。この水質分析計１７４は、たとえば吸光光度測定部、電極測定部および電気伝導率測定部を備える。吸光光度測定部は、吸光光度法により測定対象の吸光度を検出し、この吸光度から測定対象の溶存成分濃度を測定する。電極測定部は、測定対象のイオン濃度に応じた電位を生じさせ、この電位から、測定対象のイオン濃度を測定する。電気伝導率測定部は、たとえば交流二電極法、交流四電極法または電磁誘導法により測定対象の電気伝導率を測定する。この様な水質分析計１７４を用いると、１項目の水質分析だけでなく、一度に複数項目の水質を分析することができる。
【００９９】
水質分析計１７４は、ボイラ設備１０に設置する場合に限らず、たとえば船舶４内に設置され、定期または不定期に採取されるボイラ設備１０の処理水ＢＷをオフラインで計測するようにしてもよい。この場合、たとえば水質分析計１７４は、制御装置１４−１と有線または無線で接続し、分析結果を設備データ１１として作業日時とともに水質分析計１７４に記録するとともに制御装置１４−１に送信する。水質分析計１７４をオフラインで使用する場合、設備データ１１とともに設備データ１１に関わる設備や水種別名情報４４を制御装置１４−１に送信すればよい。この設備や水種別名情報４４は、水質分析計１７４に備えられる入力装置、または水質分析計１７４に接続される入力装置を介して入力すればよい。
【０１００】
水質分析計１７４として、たとえば、携帯可能な小型の分析計を用いると、水処理設備の近傍で水質分析を行うことが可能である。一台の水質分析計１７４で複数の水質分析を行うことが可能になる。
【０１０１】
＜ボイラ設備１０の処理手順＞
図１４は、ボイラ設備１０の処理手順の一例を示している。この処理手順は、ボイラ設備１０の制御部１４２で実行される。各処理はプログラムによって実行される機能または管理方法の一例である。図１４において、ステップＳは処理段階を示す。
【０１０２】
制御部１４２は、ボイラ設備１０の循環経路の蒸気圧から、蒸気不足であるかを判断し（ステップＳ２３１）、蒸気不足であれば（ステップＳ２３１のＹＥＳ）、油焚き部１４８を稼働させて（ステップＳ２３２）蒸気を生成し、蒸気不足でなければ（ステップＳ２３１のＮＯ）、ステップＳ２３２を省略する。蒸気不足は、たとえばボイラ設備１０の循環経路に設置した蒸気圧計の計測圧力が、蒸気圧の適正範囲の下限値よりも下であるかで判断すればよい。
【０１０３】
制御部１４２は、ボイラ設備１０の循環経路の蒸気圧から、蒸気過剰であるかを判断し（ステップＳ２３３）、蒸気過剰であれば（ステップＳ２３３のＹＥＳ）、油焚き部１４８を停止させ（ステップＳ２３４）、蒸気過剰でなければ（ステップＳ２３３のＮＯ）、ステップＳ２３４を省略する。蒸気過剰は、たとえば蒸気圧計の計測圧力が、蒸気圧の適正範囲の上限値を超えるかで判断すればよい。
【０１０４】
制御部１４２は、筐体１４４内の処理水ＢＷが不足であるかを判断し（ステップＳ２３５）、処理水ＢＷの不足であれば（ステップＳ２３５のＹＥＳ）、給水ポンプ１５８を運転させて（ステップＳ２３６）筐体１４４内の処理水ＢＷを増加させ、処理水ＢＷの不足でなければ（ステップＳ２３５のＮＯ）、ステップＳ２３６を省略する。筐体１４４内の処理水ＢＷの不足は、たとえば筐体１４４に設置した水位計の計測水位が、処理水水位の適正範囲の下限値よりも下であるかで判断すればよい。
【０１０５】
制御部１４２は、筐体１４４内の処理水ＢＷが過剰であるかを判断し（ステップＳ２３７）、処理水ＢＷの過剰であれば（ステップＳ２３７のＹＥＳ）、給水ポンプ１５８を停止させ（ステップＳ２３８）、処理水ＢＷの過剰でなければ（ステップＳ２３７のＮＯ）、ステップＳ２３８を省略する。筐体１４４内の処理水ＢＷの過剰は、たとえば水位計の計測水位が、処理水水位の適正範囲の上限値を超えているかで判断すればよい。
【０１０６】
制御部１４２は、給水タンク１５６内の処理水ＢＷが不足であるかを判断し（ステップＳ２３９）、処理水ＢＷの不足であれば（ステップＳ２３９のＹＥＳ）、給水処理を行い（ステップＳ２４０）、ステップＳ２３１に戻る。制御部１４２は、給水タンク１５６内の処理水ＢＷの不足でなければ（ステップＳ２３９のＮＯ）、ステップＳ２４０を省略し、ステップＳ２３１に戻る。給水タンク１５６内の処理水ＢＷの不足は、たとえば給水タンク１５６に設置した水位計の計測水位が、処理水水位の適正範囲の下限値よりも下であるかで判断すればよい。
【０１０７】
次に、給水処理（ステップＳ２４０）について、図１５を参照する。図１５は、給水処理の処理手順の一例を示している。各処理はプログラムによって実行される機能または管理方法の一例である。図１５において、ステップＳは処理段階を示す。
【０１０８】
制御部１４２は、補給水ポンプ１６４および薬剤注入ポンプ１７０を運転し（ステップＳ２４１）、補給水および薬剤の注入を開始する。制御部１４２は、流量計１６６の計測結果に基づき薬剤の注入量を調整する（ステップＳ２４２）。制御部１４２は、給水タンク１５６内の処理水ＢＷが過剰であるかを判断し（ステップＳ２４３）、処理水ＢＷの過剰であれば（ステップＳ２４３のＹＥＳ）、補給水ポンプ１６４および薬剤注入ポンプ１７０を停止し（ステップＳ２４４）、補給水および薬剤の注入を終了し、給水処理を終了する。処理水ＢＷの過剰でなければ（ステップＳ２４３のＮＯ）、ステップＳ２４２に戻り、ステップＳ２４２及びステップＳ２４３を繰り返す。給水タンク１５６内の処理水ＢＷの過剰は、たとえば給水タンク１５６に設置した水位計の計測水位が、処理水水位の適正範囲の上限値を超えているかで判断すればよい。
【０１０９】
このボイラ設備１０の処理において、制御部１４２は、流量計１６６が計測した流量、圧力計１７２が計測した圧力、この圧力から得られる薬剤の残量、給水タンク１５６に備えられる水質分析計１７４の測定結果などを設備データ１１として作業日時とともに記録し、制御装置１４−１に送信する。
【０１１０】
＜造水装置１２−１の処理手順＞
図１６は、造水装置１２−１の処理手順の一例を示している。この処理手順は、造水装置１２−１の制御部１２−２で実行される。各処理はプログラムによって実行される機能または管理方法の一例である。図１６において、ステップＳは処理段階を示す。
【０１１１】
制御部１２−２は、清水が不足であるかを判断し（ステップＳ２５１）、清水不足であれば（ステップＳ２５１のＹＥＳ）、船舶４で生じた使用済みの水、雨水などの淡水または海水を造水装置１２−１に供給し（ステップＳ２５２）、清水不足でなければ（ステップＳ２５１のＮＯ）、ステップＳ２５２を省略する。制御部１２−２は、清水が過剰であるかを判断し（ステップＳ２５３）、清水過剰であれば（ステップＳ２５３のＹＥＳ）、造水装置１２−１への水の供給を停止し（ステップＳ２５４）、ステップＳ２５１に戻る。清水過剰でなければ（ステップＳ２５３のＮＯ）、制御部１２−２はステップＳ２５４を省略し、ステップＳ２５１に戻る。清水不足は、たとえば生活用水の保管タンクやボイラ設備１０の補給水タンク１６２等の清水タンクに設置した水位計の計測水位が、清水水位の適正範囲の下限値よりも下であるかで判断すればよく、清水過剰は、たとえば清水タンクに設置した水位計の計測水位が、清水水位の適正範囲の上限値を超えているかで判断すればよい。造水装置１２−１への水の供給は、たとえば造水装置１２−１に接続されたポンプにより行えばよい。
【０１１２】
制御部１２−２は、既述の処理手順の他に、生成した清水の水質を定期または不定期に造水装置１２−１に備えられる水質分析計で分析する。水質分析計は、造水装置１２−１が生成する清水を計測可能な場所に設置されればよい。制御部１２−２は、造水装置１２−１の稼動情報、例えばポンプの運転情報、生成した清水の分析結果、および造水装置１２−１で使用する薬剤の使用量や残量などの設備データ１１を作業日時とともに記録し、記録したこれらの設備データ１１を制御装置１４−１に送信する。
【０１１３】
清水の水質は、オフラインで計測するようにしてもよい。水質分析計は、ボイラ設備１０に設置される水質分析計１７４またはボイラ設備１０の処理水ＢＷをオフラインで計測する水質分析計１７４と同様であるのでその説明を省略する。
【０１１４】
＜制御装置１４−１の処理手順＞
図１７は、設備データ送信処理の処理手順の一例を示している。この処理手順は、本発明の設備管理方法の一例である。この処理手順は、制御装置１４−１のプロセッサ５８が、メモリ部６０に読み取り可能に記憶している設備管理プログラムを実行し、また通信装置１６−１のプロセッサが設備管理プログラムに基づき通信を実行することにより実行される。各処理はプログラムによって実行される機能または管理方法の一例である。図１７において、ステップＳは処理段階を示す。
【０１１５】
プロセッサ５８は、既述の設備データ１１の受信であるかを判断し（ステップＳ２６１）、設備データ１１の受信であれば（ステップＳ２６１のＹＥＳ）、受信した設備データ１１をメモリ部６０に記憶する（ステップＳ２６２）。また、プロセッサ５８は、各水処理設備の水種別毎に、設備データ１１を組合わせて集合させ、この集合させた設備データ１１にファイル名を付与し（ステップＳ２６３）、管理センター６に告知するための送信用の設備データファイルが生成される。プロセッサ５８は、たとえば、メモリ部６０が記憶する設備情報３４のファイル名情報４６を参照し、このファイル名情報４６に含まれるデータ送信仕様に基づいて、送信用の設備データファイルを作成する。つまり、管理サーバ２３により認識可能なデータ形式となるように、送信用の設備データ１１を作成する。たとえば、バラスト水処理装置８−１の設備データ１１を送信する場合、プロセッサ５８は、たとえば自船の船舶コード「ＡＢＣＤＥＦＧ００１」、該当設備の設備名「バラスト水処理設備」、および水種別名「バラスト水」を参照し、これらのデータに割り当てられたファイル名「ＵｐｌｏａｄＦｉｌｅ００１．ｃｓｖ」を用いて送信用の設備データファイルを作成する。プロセッサ５８は、ファイル名を付した送信用の設備データ１１を通信装置１６−１に出力し（ステップＳ２６４）、メモリ部６０に記憶する（ステップＳ２６５）。
【０１１６】
通信装置１６−１は、制御装置１４−１から受けた設備データ１１を管理サーバ２３に送信し（ステップＳ２６６）、ステップＳ２６１に戻る。
【０１１７】
ステップＳ２６１において、設備データ１１の受信でなければ（ステップＳ２６１のＮＯ）、ステップＳ２６１を繰り返す。斯かる処理手順の実行により、制御装置１４−１および通信装置１６−１は計測時刻が異なる複数の設備データ１１を送信するととなり、管理サーバ２３は、設備データ１１を取得することになる。
【０１１８】
＜管理サーバ２３の処理手順＞
図１８は、管理・処理データの作成および出力処理の処理手順の一例を示している。この処理手順は、本発明の設備管理方法の一例である。この処理手順は、管理サーバ２３のプロセッサ７０が、メモリ部７２に読み取り可能に記憶されている設備管理プログラムを実行することにより実行される。各処理はプログラムによって実行される機能または管理方法の一例である。図１８において、ステップＳは処理段階を示す。
【０１１９】
プロセッサ７０は、設備データ１１の受信であるかを判断し（ステップＳ２７１）、設備データ１１の受信であれば（ステップＳ２７１のＹＥＳ）、受信した設備データ１１に設備情報３４を付し、船舶・設備データ２８を作成し（ステップＳ２７２）、データベース２４に記憶させる（ステップＳ２７３）。プロセッサ７０は、たとえば通信装置１６−１から受信した設備データ１１のファイル名または船舶・設備データ２８に記録されている船舶コード３６や設備コード４０に基づいて、データベース２４内の何れの場所に船舶・設備データ２８を記憶させるかを決定すればよい。設備データ１１の受信でなければ（ステップＳ２７１のＮＯ）、プロセッサ７０は、ステップＳ２７２およびステップＳ２７３を省略する。
【０１２０】
プロセッサ７０は、管理・処理データ３０の作成であるかを判断し（ステップＳ２７４）、管理・処理データ３０の作成であれば（ステップＳ２７４のＹＥＳ）、船舶・設備データ２８から管理・処理データ３０を作成し（ステップＳ２７５）、作成した管理・処理データ３０をデータベース２４に記憶させる（ステップＳ２７６）。プロセッサ７０は、たとえば６時間毎、１２時間毎、または１日毎等の予め設定された間隔で管理・処理データ３０を作成し、およびデータベース２４に記憶させればよく、または、船舶・設備データ２８を受信した時に管理・処理データ３０を作成し、およびデータベース２４に記憶させればよい。管理・処理データ３０の作成でなければ（ステップＳ２７４のＮＯ）、ステップＳ２７５およびステップＳ２７６を省略する。
【０１２１】
プロセッサ７０は、管理・処理データ３０の出力処理を行い（Ｓ２７７）、ステップＳ２７１に戻る。管理・処理データ３０の出力処理は、予め設定されたタイミングに、または船舶に関わる顧客の要求に応じて行えばよい。ステップＳ２７１からステップＳ２７７を繰り返すことで、計測時刻が異なる複数の設備データ１１を保存することができる。計測時刻が異なる複数の設備データ１１を用いることで、設備データ１１の解析や水処理設備の診断の精度を高めることができ、またはトレンドグラフなどにより水処理設備の傾向を示すことができる。
【０１２２】
＜実施例１の効果＞
(1)  海上の船舶４のバラスト水処理装置８−１、ボイラ装置１０−１、造水装置１２−１などの処理設備の設備データ１１を、たとえば衛星通信を介して陸上側に送信するので、短時間で情報を伝達することができる。つまり、無線通信で管理サーバ２３に送信された設備データ１１を、データベース２４に速やかに登録することができ、管理センター６でタイムリーに監視できる。また船舶側は管理センター６で解析等がなされた管理・処理データ３０を短時間で受け取ることができ、船舶側でその管理・処理データ３０に基づいた処置を迅速に取ることができる。
【０１２３】
(2)  陸上に設置されたデータベース２４で船舶・設備データ２８および管理・処理データ３０を記憶し、管理・処理データ３０は、顧客に提供されるので、船舶４での水処理設備の設備データ１１の管理負荷および報告負荷などが軽減できると共に、顧客への水処理設備のデータ提供が強化できる。また、顧客が複数の船舶４を所有している場合には、これらの船舶４の管理・処理データ３０をまとめて受け取ることが可能となり、顧客側のデータ管理負荷が軽減できる。
【０１２４】
(3)  管理サーバ２３が通信ネットワーク２７を介して管理・処理データ３０を提供するので、船舶４に関わる顧客は、この管理・処理データ３０を様々な用途に活用可能である。たとえば、船舶４では、通信装置１６−１に接続した制御装置１４−１の表示部６２に、管理サーバ２３から受信したトレンドグラフ等を表示することができ、また、制御装置１４−１に接続した印刷装置で管理サーバ２３から受信したトレンドグラフ等を印刷することができる。管理・処理データ３０の表示または印刷により、船舶４における水処理設備の担当者は、表示装置の表示や印刷装置での印刷物を参照して、水処理設備への薬剤注入量を調整したり、水処設備１２の担当者に水処理設備の設備調整を依頼したりすることで、水処理設備を安定かつ最適な運転状態に維持することができる。船舶４を所有する船舶所有者および船舶４を管理する船舶管理者では、自己が所有又は管理する複数の船舶の複数種類にわたる水処理設備の情報を管理サーバ２３からまとめて得ることができる。また、管理・処理データ３０は、データベース２４に記憶されているので、船舶に関わる顧客は、管理・処理データ３０を独自に保持する必要がなく、必要に応じてデータベース２４から情報を引き出すことができる。つまり、船舶に関わる顧客を、管理・処理データ３０自体の管理業務から解放させることができる。
【０１２５】
(4)  船舶４上で水処理設備の水質分析等を行い、無線通信でデータを陸上に送信するので、船舶４の寄港地において水処理設備からサンプリングした水を分析センターへ送付する必要はなく、速やかに分析結果を取得できる。
【０１２６】
＜変形例＞
(1)  上記実施例では、通信会社等が提供する通信設備２６を利用したが、管理センター６が独自に通信設備２６を備え、管理サーバ２３が専用配線を介して通信設備２６に接続されていてもよい。管理センター専用の通信設備２６および専用配線を用いると、管理サーバ２３と通信設備２６との間での情報漏えいのリスクを軽減することができる。
【０１２７】
(2)  上記実施例では、データベース２４が船舶４の設備情報３４を記憶しているが、たとえば管理サーバ２３のメモリ部７２に記憶していてもよい。設備情報３４をデータベース２４に記録させれば、管理サーバ２３の記憶負荷を下げることができ、設備情報３４を管理サーバ２３に記憶すれば、通信障害等のリスクを低減することができる。
【０１２８】
(3)  上記実施例では、制御装置１４−１が表示部６２および入力部６４を備えたが、制御装置１４−１がＩ／Ｏ６６を介して表示装置や入力装置に接続していてもよい。表示装置は、たとえば既述の表示部６２の機能を有していればよく、入力装置は、たとえば既述の入力部６４の機能を有していていればよい。
【０１２９】
(4)  上記実施例では、管理サーバ２３側で設備データ１１と設備情報３４とを関連付けた。この場合、船舶４が送信するデータ量を抑制することができる。しかしながら、このような実施例に限られない。予め船舶側で設備データ１１と設備情報３４とを関連付けて船舶・設備データ２８を送信するようにしてもよい。
【０１３０】
(5)  上記実施例では、管理サーバ２３がデータベース２４の運転データベースに登録されているデータを解析し、診断し、表示や印刷のためにデータを加工したが、図１９に示すように、管理サーバ２３とは別にデータ解析装置１７５を備え、管理サーバ２３の機能を分散させてもよい。たとえば、データ解析装置１７５が既述のデータ解析機能、データ診断機能およびデータ加工機能を備え、管理サーバ２３の代わりにこれらの機能を実行してもよい。
【０１３１】
(6)  上記実施例では、ボイラ設備１０の処理水ＢＷおよび造水装置１２−１の清水の溶存成分濃度、イオン濃度および電気伝導度を分析したが、これらの分析結果の一部を分析するようにしてもよく、その他の水質項目、たとえばペーハー（ｐＨ）、水温または薬剤濃度を測定するようにしてもよい。
【０１３２】
(7)  上記実施例では、制御装置１４−１が各水処理設備の設備データ１１毎に特定のファイル名を付して、設備データ１１と水処理設備との関連付けが行われているが、このようなファイル名による関連付けに限定されない。たとえば、複数の水処理設備の設備データ１１を一つのファイル名で送信してもよい。この場合、各水処理設備の設備データ１１毎に船舶コード３６、設備コード４０または水種別名情報４４等を付けて送信すればよい。この場合、制御装置１４−１は、設備情報３４を参照して船舶コード３６等を設備データ１１に付せばよい。または、制御装置１４−１の入力部６４の操作入力により船舶コード３６等を指定してもよい。この場合、設備データ１１は、指定された水処理設備又はその水種別名と関連付けることができる。
【０１３３】
設備データ１１と水処理設備又はその水種別名との関連付けは、水質分析計１７４等の計測器側で行ってもよい。たとえば、予め制御装置１４−１から計測器に設備情報３４を送信し、計測器のメモリに保存する。そして、計測器が、計測した設備データ１１と水処理設備またはその水種別名を関連づけて、制御装置１４−１に送信してもよい。斯かる構成によれば、設備データ１１と水処理設備又はその水種別名との関連付けに係る作業が分散され、制御装置１４−１の負荷を下げることができる。
【０１３４】
(8)  上記実施例では、管理サーバ２３が設備データ１１を受信し、管理・処理データ３０を送信しているが、管理サーバ２３を介した通信に限らない。たとえば、データベース２４が通信ネットワーク２７に直接接続され、データベース２４が直接管理・処理データ３０を出力するようにしてもよい。斯かる構成によれば、管理サーバ２３の負荷が軽減される。
【０１３５】
(9)  上記実施例における制御装置１４−１および通信装置１６−１による設備データ１１の送信では、たとえば、制御装置１４−１に設備データ１１の送信間隔Ｔｔを設定し、制御装置１４−１は、送信間隔Ｔｔ間で得た設備データ１１を、送信間隔Ｔｔ経過時にまとめて送信するようにしてもよい。このような設備データ１１の集合情報処理により、設備データ１１の一括送信が図られ、通信回線の使用回数を減らすことができ、通信の効率化が図られる。設備データ１１をまとめて送信する場合、一設備の特定の設備データ１１を一定の期間蓄積し、この一定の期間の間に得た複数の設備データ１１を一括で送信してもよく、複数種類の設備データ１１を一括で送信するようにしてもよい。
【０１３６】
(10)  データベース２４はさらに、水処理設備や水質分析計１７４を使用するユーザのユーザ名、そのユーザＩＤおよび各ユーザが水の分析を行う水処理設備の対応関係を規定するユーザデータベースを備えていてもよい。このユーザデータベースの情報は、たとえば制御装置１４−１に送信され、記憶部１４−２で記憶される。制御装置１４−１は、水処理設備や水質分析計１７４を使用するユーザのＩＤを受け付けると、このユーザデータベースの情報に基づいて、受け付けたユーザＩＤに関係付けられた水処理設備または水質分析計１７４を表示装置に表示する。斯かる構成によれば、ユーザは、制御装置１４−１に自身のユーザＩＤを入力することにより、自身が使用する水処理設備や水質分析計１７４を容易に把握することができる。
【０１３７】
(11)  制御装置１４−１は、記憶部１４−２に記憶している設備情報３４、設備データ１１または管理・処理データ３０を表示部６２に表示するようにしてもよい。この場合、ユーザＩＤやパスワードが設定され、セキュリティが高められていてもよい。たとえば、制御装置１４−１は、入力部６４からユーザＩＤの入力を受け付けると、メモリ部６０に記憶されているユーザデータに基づいて、受け付けたユーザＩＤに対応するユーザ以外のユーザが使用する水処理設備および水質分析計１７４の設備情報３４、設備データ１１または管理・処理データ３０の表示を禁止するようにしてもよい。表示の禁止により、ユーザは、他ユーザが使用する水処理設備および水質分析計１７４の設備情報へのアクセスが阻害され、情報セキュリティを高めることができる。
【０１３８】
(12)  上記実施例では、分岐ライン９４の一端がバラストタンク入口弁９２とバラストタンク７６の間に接続されているが、図２０に示すように、バラストタンク７６に直接接続するようにしてもよい。分岐ライン９４が直接バラストタンク７６に接続すると、バラストタンク７６、分岐ライン９４および主ライン８３によりバラスト水を循環させる循環経路が形成される。つまり、バラスト注水弁８４およびバラスト排水弁１００を閉じ、バラストタンク入口弁９２およびバラストタンク出口弁９６を開き、バラストポンプ８６を稼働させると、バラスト水を循環させることができる。斯かる構成によれば、バラスト水の注水時、バラスト水の排水時の他に、バラスト水を維持している時も、バラスト水処理装置８−１は、バラスト水のＴＲＯをたとえばＴＲＯ計１１０−１で計測するとともに記録し、計測されたバラスト水のＴＲＯに基づき殺滅剤または中和剤を注入し、バラスト水のＴＲＯを調整することができる。
【０１３９】
(13)  管理サーバ２３は船舶４の各水処理設備の制御権限を有していてもよい。この場合、管理サーバ２３は無線で各水処理設備に指示信号を出力すればよい。通信装置１６−１および制御装置１４−１を介して指示信号を受けた水処理設備が指示信号に応じてたとえば殺滅剤または中和剤の注入を調整すればよい。
【０１４０】
(14)  バラスト水の水質管理に関連して、船舶４においてバラスト水中の生物個体数を計測して、管理サーバ２３に送信するようにしてもよい。バラスト水中の生物個体数は、たとえば生物検査装置で計測すればよい。この生物検査装置は、既述のバラスト水管理基準のバラスト水排出基準に規定された生物、つまり最小サイズ５０μｍ以上の生物と最小サイズ５０μｍ未満で１０μｍ以上の生物を区別して検出すればよく、たとえば、ＩＭＯの承認を受けた、バラスト水生物検査装置を用いればよい。たとえば、株式会社サタケが販売するバラスト水生物検査装置（型式：ＶＯＡ１０００）を用いることができる。検出された生物の個体数は、殺滅剤による生物の殺滅効果を示すデータとして用いられ、殺滅効果確認データとして、データベース２４に記憶する。
【０１４１】
(15)  上記実施例の設備管理プログラムは、インターネッ卜や無線通信回線等の通信回線を介して提供してもよい。また、設備管理プログラムを暗号化し、変調をかけ、または圧縮した状態で、設備管理プログラムをインターネットや無線通信回線を介して、あるいは記録媒体に格納して提供してもよい。
【０１４２】
(16)  水処理設備は、バラスト水処理装置８−１、ボイラ装置１０−１、造水装置１２−１に限定されるものではなく、他の設備、たとえば、冷却水設備または雑用水処理設備であってもよい。冷却水設備では、たとえば冷却塔から排出される冷却水、冷却塔内を循環する循環水、および冷却塔に供給される供給水が計測され、これらの設備データ１１が管理される。また、冷却塔を通過する水に対して注入されるスライ厶防止剤やスケール防止剤等の薬剤の注入流量や貯留量が管理される。雑用水処理設備では、たとえば処理後の雑用水の水質が計測され、この設備データ１１が管理される。
【０１４３】
(17)  実施例１では船舶４内の水質などの計測情報を用いているが、船舶４が停泊しているまたは停泊する港湾の海水を採取し、その海水の計測情報などの環境情報を取得し、係る情報を告知情報に加え、これらを管理情報に反映してもよい。
【０１４４】
(18)  実施例１ではＴＲＯ計１１０−１、１１０−２が給排水ライン７８に設置されているが、バラスト水処理装置８−１から離れた場所にＴＲＯ計１１０−１、１１０−２を設置して、採取したバラスト水を分析するようにしてもよい。
【実施例２】
【０１４５】
実施例２では、設備管理システム２は、船舶４に関わる顧客に提供した管理・処理データ３０を顧客側で表示させ、または印刷装置で印刷させる。この実施例２の設備管理システム２は、実施例１の設備管理システム２を含んでいる。実施例１と共通する部分の説明は省略する。
【０１４６】
この実施例２では、管理サーバ２３は、データベース２４に記憶した管理・処理データ３０を船舶４に関わる顧客に提供する。また、管理サーバ２３は、データベース２４に記憶した管理・処理データ３０を加工し、加工した管理・処理データ３０を顧客に提供してもよい。管理サーバ２３は、顧客にこの管理・処理データ３０を顧客の要求によりまたは自動的に提供する。顧客の要求により管理・処理データ３０を提供する場合には、顧客であるかを認証処理により判定すればよい。たとえば管理サーバ２３のメモリ部７２には、顧客のユーザＩＤおよびパスワードが記憶され、管理サーバ２３のプロセッサ７０は、メモリ部７２に記憶するユーザＩＤおよびパスワードを参照し、管理・処理データ３０を要求する要求者のユーザＩＤ入力およびパスワード入力が一致するかを判断すればよい。なお、設備管理システム２の運営のため、管理サーバ２３の操作権限を有する者にもユーザＩＤおよびパスワードが設定される。
【０１４７】
ユーザＩＤには権限レベルが設定され、たとえば全ての船舶・水処理情報へのアクセスを可能にする「レベル１」、認証されたユーザが所有または管理する船舶４の管理・処理データ３０の提供を許容する「レベル２」、認証されたユーザに係る船舶４の管理・処理データ３０の提供を許容する「レベル３」を含む。管理サーバ２３は、これらの権限レベルをユーザＩＤに関連付け、メモリ部７２に記憶する。このような権限レベルを設定することで、管理サーバ２３にアクセスしたユーザに関わらない管理・処理データ３０がアクセスしたユーザに提供されることが防止されるとともに、管理サーバ２３にアクセスしたユーザ側では無関係な情報を除外するなどの必要がない。また、たとえば船舶４では異なる船舶４の管理・処理データ３０を受けることがないので、過誤によるデータの取り違えなどが防止される。
【０１４８】
＜船舶・水処理情報の表示＞
図２１は船舶選択画面の一例を示している。この船舶選択画面１７６は、管理サーバ２３が管理・処理データ３０または加工した管理・処理データ３０に基づき表示させる。たとえばログイン画面での認証処理や、会社選択画面での会社選択処理後に表示される。この船舶選択画面１７６を含む各種の画面は、管理サーバ２３のメモリ部７２に記憶された画面表示データを、管理サーバ２３またはこの画面の表示に用いられるコンピュータが実行することにより表示される。この画面表示データには、たとえばハイパーテキスト形式のデータを用いることができる。
【０１４９】
船舶選択画面１７６は上部バー１７８−１、サイドバー１８０−１および表示領域１８２−１を備えている。上部バー１７８−１には、会社選択画面で選択した会社名「Ａ株式会社」とともに、サイト内の検索に使用されるサーチボタン１８４、ログアウトに使用されるログアウトボタン１８６、前画面に戻る時に使用されるバックボタン１８８およびホーム画面に戻るホームボタン１９０が表示されている。
【０１５０】
サイドバー１８０−１には、設備選択ボタン１９２、および注意喚起を表す注意ボタン１９４が表示されている。設備選択ボタン１９２は、船舶設備や工場設備等の設備の選択に用いられる。船舶設備は、たとえば船舶４の絵が付された設備選択ボタン１９２で選択され、工場設備は、たとえば工場の絵が付された設備選択ボタン１９２で選択される。図２１では、船舶４の絵が付された設備選択ボタン１９２の一例を示し、工場の絵が付された設備選択ボタン１９２を省略する。なお、管理サーバ２３で管理している工場設備がなければ、工場の絵が付された設備選択ボタン１９２の表示は省略すればよい。各種の選択ボタンの選択操作には、たとえばタッチパネルへのタッチ操作、またはマウスによるクリック操作を用いればよい。
【０１５１】
船舶選択画面１７６の表示領域１８２−１の上部には、船舶４の選択を表す表題「Ｓｈｉｐ  ｓｅｌｅｃｔ」が表示される。この表題の下側には、上部バー１７８−１に表示している会社に関連する船舶４それぞれの船舶選択ボタン１９６が表示される。この船舶選択ボタン１９６には、船舶を表す図とともに、船舶名「ＡＡＡ」、「ＢＢＢ」、「ＣＣＣ」または「ＤＤＤ」が表示されている。表示領域１８２−１には、更にオペレータ選択表示１９８が表示される。オペレータ選択表示１９８の右端の逆三角印の選択により、管理サーバ２３は、オペレータ選択表示１９８の下側に、登録されているオペレータ名を表示させ、オペレータ名の選択により、オペレータを決定する。この船舶選択画面１７６では、特定の船舶選択ボタン１９６が選択される。管理サーバ２３は、船舶選択ボタン１９６の選択を受けて、選択された船舶４の水処理設備の選択画面に切り替える。
【０１５２】
水処理設備の選択画面では、たとえばバラスト水処理装置８−１、ボイラ装置１０−１および造水装置１２−１を表す選択ボタンが表示されればよい。これらの選択ボタンの選択により、管理サーバ２３は選択された水処理設備の管理・処理データ３０の表示に切り替える。
【０１５３】
図２２は、水処理状況画面の一例を示している。この水処理状況画面２００は、管理・処理データ３０の表示の一例であり、既述の水処理設備の選択画面でバラスト水処理装置８−１が選択されると、管理サーバ２３により表示される。図２２に示す水処理状況画面２００では、バラスト水処理装置８−１の水処理状況が表示されている。
【０１５４】
水処理状況画面２００は上部バー１７８−２、サイドバー１８０−２および表示領域１８２−２を備えている。上部バー１７８−２には、会社名「Ａ株式会社」、船舶名「ＡＡＡ」および水処理設備名「バラスト水処理設備」とともに、時刻表示２０２、既述のログアウトボタン１８６、バックボタン１８８およびホームボタン１９０が表示される。
【０１５５】
サイドバー１８０−２には、設備状況選択ボタン２０４、経過情報選択ボタン２０６、薬剤情報選択ボタン２０８、報告書選択ボタン２１０、設定変更ボタン２１２が表示されている。設備状況選択ボタン２０４は、水処理設備における水処理状況の表示に用いられる。経過情報選択ボタン２０６は、水処理設備に係る設備データ１１の時間経過にともなう変化の表示に用いられる。薬剤情報選択ボタン２０８は、水処理設備に使用される薬剤の情報の表示に用いられる。報告書選択ボタン２１０は、船舶４の運航に関する日報、週報、月報等の報告書類の表示または印刷に用いられる。設定変更ボタン２１２は、水処理状況画面２００の設定変更に用いられる。選択中のボタンには、表示処理２１４が付され、選択中であることが表されている。表示処理２１４は、たとえば着色処理、斜線、網掛け、ドット等の模様を付すハッチング処理、またはボタンの周囲に強調枠を付す枠付け処理またはこれらの組み合わせにより行われる。
【０１５６】
水処理状況画面２００の表示領域１８２−２の上部左側には、選択ボタン２１６−１、２１６−２が表示される。選択ボタン２１６−１には「バラスト水処理状況」が表示されている。この選択ボタン２１６−１の選択により、表示領域１８２−２にバラスト水の処理状況が表示される。選択ボタン２１６−２には「処理場所（緯度／経度）」が表示されている。この選択ボタン２１６−２の選択により、表示領域１８２−２には、バラスト水を処理した場所情報として、緯度および経度の情報が表示される。この緯度および経度情報は、管理サーバ２３が管理する各船舶４の運航スケジュールデータと、船舶４のバラスト水の処理時刻を参照して求めることができる。また、管理サーバ２３が設備データ１１を受信する際に、船舶４からＧＰＳ（Global Positioning System）などによる位置情報を入手して表示するようにしてもよい。
【０１５７】
表示領域１８２−２の上部右側には表示枠２１８が設定され、この表示枠２１８には表示「バラスト注水処理水量」がバラスト水の注水処理水量とともに表示され、表示「バラスト排水処理水量」がバラスト水の排水処理水量とともに表示されている。また、表示枠２１８には、バラスト注水処理水量またはバラスト排水処理水量に係る最近の設備データ値を表示する選択ボタン２１６−３、２１６−４が表示されている。選択ボタン２１６−３には、表示「殺滅剤使用量：」とともに殺滅剤使用量が表示されている。選択ボタン２１６−４には、表示「中和剤使用量：」とともに中和剤使用量が表示されている。
【０１５８】
表示領域１８２−２の中央部および下部には、バラスト水処理装置８−１の設備構成図とともに、水処理設備の最近の設備データ値を表示する選択ボタン２１６−５、２１６−６・・・２１６−１４、および水処理設備の画像を画面に表示させる選択ボタン２１６−１５、２１６−１６、２１６−１７が表示されている。選択ボタン２１６−５は、バラスト流量計表示に対応して表示され、たとえば下部に表示される。選択ボタン２１６−５には、バラスト流量計９０の計測流量が表示されている。選択ボタン２１６−６は、バラストタンク表示に対応して表示され、たとえばバラストタンク表示に重ねて表示される。選択ボタン２１６−６には、バラストタンク７６内のバラスト水の流量が表示されている。選択ボタン２１６−７は、ＴＲＯ計表示（ＴＲＯ１）に対応して表示され、たとえば上部に表示される。選択ボタン２１６−７には、ＴＲＯ計１１０−１の計測ＴＲＯ値が表示されている。選択ボタン２１６−８は、ＴＲＯ計表示（ＴＲＯ２）に対応して表示され、たとえば上部に表示される。選択ボタン２１６−８には、ＴＲＯ計１１０−２の計測ＴＲＯ値が表示されている。選択ボタン２１６−９は、殺滅剤タンク表示に対応して表示され、たとえば下部に表示される。選択ボタン２１６−９には、殺滅剤タンク１１４内の殺滅剤の残量が表示されている。選択ボタン２１６−１０は、殺滅剤タンク表示に対応して表示され、たとえば右上部に表示される。選択ボタン２１６−１０には、殺滅剤タンク１１４内の殺滅剤の温度および濃度が表示されている。選択ボタン２１６−１１は、殺滅剤流量計表示に対応して表示され、たとえば下部に表示される。選択ボタン２１６−１１には、殺滅剤流量計１１８の計測流量が表示されている。選択ボタン２１６−１２は、中和剤溶解槽表示に対応して表示され、たとえば下部に表示される。選択ボタン２１６−１２には、中和剤溶解槽１２０内の中和剤の残量が表示されている。選択ボタン２１６−１３は、中和剤タンク表示に対応して表示され、たとえば下部に表示される。選択ボタン２１６−１３には、中和剤タンク１２２内の中和剤の残量が表示されている。選択ボタン２１６−１４は、中和剤流量計表示に対応して表示され、たとえば下部に表示される。選択ボタン２１６−１４には、中和剤流量計１２６の計測流量が表示されている。選択ボタン２１６−１５は、ミキサー表示、バラスト流量計表示およびＴＲＯ計表示（ＴＲＯ１、ＴＲＯ２）を囲う吹き出し部とカメラ表示とを含む。選択ボタン２１６−１６は、殺滅剤タンク表示、殺滅剤注入ポンプ表示および殺滅剤流量計表示を囲う吹き出し部と、カメラ表示とを含む。選択ボタン２１６−１７は、中和剤溶解槽表示、中和剤タンク表示、中和剤注入ポンプ表示および中和剤流量計表示を囲う吹き出し部と、カメラ表示とを含む。
【０１５９】
表示領域１８２−２に表示されるバラスト水処理装置８−１の設備構成図では、管理サーバ２３は、たとえば、各弁の開閉状態、バラスト水の通水状態、各機器の稼働状態を色や表示の変化により区別可能に表示し、バラスト水、殺滅剤および中和剤の流れをアニメーションにより表示する。つまり、色や表示の変化の使用により、処理状態の把握の容易化が図られている。
【０１６０】
管理サーバ２３は、選択ボタン２１６−３から選択ボタン２１６−１４のいずれかの選択により、選択された設備データ１１に係る時間経過情報をたとえばグラフで表示領域１８２−２に表示させる。このような選択ボタン２１６−３、・・・２１６−１４により、簡単な操作で簡単に得たい情報に切り替えることができる。また、管理サーバ２３は、選択ボタン２１６−１５、２１６−１６、２１６−１７の選択により、選択された範囲の水処理装置の画像を表示領域１８２−２に表示する。たとえば、管理サーバ２３は、選択ボタン２１６−１５、２１６−１６、２１６−１７の選択を受け、それぞれ撮影装置１３２−１、１３２−２、１３２−３の撮影画像を表示領域１８２−２に表示させる。表示される画像は、リアルタイム画像、ライブ画像、または録画画像であればよい。このような画像により、たとえば薬剤の漏えいの監視を行うことができ、撮影装置１３２−１、１３２−２、１３２−３の設置により設備状態を画像により船舶４側と陸上側とで共有することができる。
【０１６１】
図２３は、トレンド表示画面の一例を示している。トレンド表示画面２２０は、管理・処理データ３０の表示の一例であり、たとえば、既述の水処理状況画面２００において、バラスト流量計表示に対応する選択ボタン２１６−５が選択されると、管理サーバ２３により表示される。トレンド表示画面２２０は既述の上部バー１７８−２およびサイドバー１８０−２と表示領域１８２−３とを備えている。上部バー１７８−２およびサイドバー１８０−２は、水処理状況画面２００の上部バー１７８−２およびサイドバー１８０−２と同様である。トレンド表示画面２２０では、経過情報選択ボタン２０６に表示処理２１４が付されている。
【０１６２】
トレンド表示画面２２０の表示領域１８２−３の左上部には、データ種別の切替えに用いるデータ切替ボタン２２２−１、２２２−２が表示されている。データ切替ボタン２２２−１には、表示「処理データ」が表示され、データ切替ボタン２２２−２には、表示「管理データ」が表示されている。データ切替ボタン２２２−１の選択により、管理サーバ２３は表示領域１８２−３の表示を処理データに切替え、データ切替ボタン２２２−２の選択により、管理サーバ２３は表示領域１８２−３の表示を管理データに切替える。図２３に示す表示領域１８２−３では、データ切替ボタン２２２−１に表示処理２１４が付され、処理データが選択中であることを示している。各種の切替ボタンの選択操作には、たとえばタッチパネルへのタッチ操作、またはマウスによるクリック操作を用いればよい。
【０１６３】
表示領域１８２−３の左下部には、表示種別の切替えに用いる表示切替ボタン２２４−１、２２４−２が表示されている。表示切替ボタン２２４−１には、表示「トレンド表示」が表示され、表示切替ボタン２２４−２には、表示「積算表示」が表示されている。表示切替ボタン２２４−１の選択により、管理サーバ２３は表示領域１８２−３の表示を、データの傾向を示すトレンド表示に切替え、表示切替ボタン２２４−２の選択により、管理サーバ２３は表示領域１８２−３の表示を、データの積算値を示す積算表示に切替える。図２３に示す表示領域１８２−３では、表示切替ボタン２２４−１に表示処理２１４が付され、トレンド表示が選択中であることを示している。
【０１６４】
処理データとトレンド表示とが選択された表示領域１８２−３の左中央部には、傾向情報を含む設備データ１１の表示に用いる選択ボタン２２６−１、２２６−２・・・２２６−６が表示されている。選択ボタン２２６−１には、表示「バラスト  流量」が表示され、選択ボタン２２６−２には、表示「殺滅剤  注入流量」が表示され、選択ボタン２２６−３には、表示「中和剤  注入流量」が表示され、選択ボタン２２６−４には、表示「ＴＲＯ計１  濃度（殺滅剤添加後）」が表示され、選択ボタン２２６−５には、表示「ＴＲＯ計１  濃度（中和前）」が表示され、選択ボタン２２６−６には、表示「ＴＲＯ計２  濃度」が表示されている。これらの選択ボタン２２６−１、２２６−２、・・・２２６−６の選択を受け、管理サーバ２３は、表示領域１８２−３の中央部および右側のデータ領域２２８に、選択された選択ボタン２２６−１、２２６−２・・・２２６−６の表示に対応する設備データ１１を表示する。図２３に示す表示領域１８２−３では、選択ボタン２２６−１に表示処理２１４が付され、バラスト流量の設備データ１１のトレンドが表示されている。選択された表示に対応する設備データ１１は、たとえば、縦軸を設備データ１１の値、横軸を日時とするグラフ上に表示される。また、このデータ領域２２８の下側には操作部２３０が表示され、操作部２３０の操作により、表示させるデータの日時範囲を変更することができる。
【０１６５】
このトレンド表示画面２２０は、サイドバー１８０−２の経過情報選択ボタン２０６を選択し、その後表示領域１８２−３に表示されているデータ切替ボタン２２２−１、表示切替ボタン２２４−１および選択ボタン２２６−１を選択することにより表示することができる。
【０１６６】
図２４は、積算表示画面の一例を示している。積算表示画面２３２は、管理・処理データ３０の表示の一例であり、たとえば、既述の水処理状況画面２００において、バラスト流量計表示に対応する選択ボタン２１６−５が選択されると、管理サーバ２３により表示される。トレンド表示の選択中であれば、表示切替ボタン２２４−２の選択により、積算表示画面に切替えることができる。
【０１６７】
積算表示画面２３２では、積算情報を含む設備データ１１の表示に用いる選択ボタン２２６−７、２２６−８・・・２２６−１１が表示されている。選択ボタン２２６−７には、表示「バラスト  処理量」が表示され、選択ボタン２２６−８には、表示「殺滅剤  注入量」が表示され、選択ボタン２２６−９には、表示「中和剤  注入量」が表示され、選択ボタン２２６−１０には、表示「ＴＲＯ計１  濃度」が表示され、選択ボタン２２６−１１には、表示「ＴＲＯ計２  濃度」が表示されている。これらの選択ボタン２２６−７、２２６−８・・・２２６−１１の選択を受け、管理サーバ２３は、表示領域１８２−４のデータ領域２２８に、選択された表示に対応する設備データ１１を表示する。図２４に示す表示領域１８２−４では、選択ボタン２２６−７に表示処理２１４が付され、バラスト処理量のデータが積算量で表示されている。その他の表示はトレンド表示画面２２０と同様であり説明を省略する。
【０１６８】
図２５は、管理データ表示画面の一例を示している。管理データ表示画面２３４は、管理・処理データ３０の表示の一例であり、たとえば既述の水処理状況画面２００において、殺滅剤タンク表示に対応する選択ボタン２１６−９が選択されると、管理サーバ２３により表示される。処理データの選択中であれば、データ切替ボタン２２２−２の選択により、管理データ表示画面２３４に切替えることができる。
【０１６９】
管理データ表示画面２３４は既述の上部バー１７８−２、サイドバー１８０−２および表示領域１８２−５を備えている。上部バー１７８−２およびサイドバー１８０−２は、トレンド表示画面２２０の上部バー１７８−２およびサイドバー１８０−２と同様である。
【０１７０】
管理データ表示画面２３４の表示領域１８２−５の左上部には、既述のデータ切替ボタン２２２−１、２２２−２が表示され、表示領域１８２−５の左中央部および左下部には、選択ボタン２２６−１２、２２６−１３・・・２２６−１８が表示されている。選択ボタン２２６−１２には、表示「殺滅剤  貯留量」が表示され、選択ボタン２２６−１３には、表示「中和剤  貯留量」が表示され、選択ボタン２２６−１４には、表示「殺滅剤  温度」が表示され、選択ボタン２２６−１５には、表示「殺滅剤  濃度」が表示され、選択ボタン２２６−１６には、表示「警報履歴」が表示され、選択ボタン２２６−１７には、表示「電力消費量」が表示され、選択ボタン２２６−１８には、表示「前回処理からの経過時間」が表示されている。これらの選択ボタン２２６−１２、２２６−１３・・・２２６−１８の選択を受け、管理サーバ２３は、表示領域１８２−５の中央部および右部のデータ領域２２８に、選択された選択ボタン２２６−１２、２２６−１３・・・２２６−１８の表示に対応する設備データ１１を表示する。図２５に示す表示領域１８２−５では、選択ボタン２２６−１２に表示処理２１４が付され、殺滅剤の貯留量が表示されている。選択された表示に対応する設備データ１１は、たとえば、縦軸を設備データ１１の値、横軸を日時とするグラフ上に表示される。また、このデータ領域２２８の下側には操作部２３０が表示され、操作部２３０の操作により、表示させるデータの日時範囲を変更することができる。
【０１７１】
データ領域２２８の上部には、選択ボタン２１６−２と、選択ボタン２２６−１９が表示される。選択ボタン２１６−２は、水処理状況画面２００に表示された選択ボタン２１６−２と同様である。選択ボタン２２６−１９には、表示「殺滅効果確認データ」が表示されている。これらの選択ボタン２１６−２、２２６−１９の選択を受け、管理サーバ２３は、データ領域２２８に、選択された選択ボタン２１６−２、２２６−１９の表示項目のデータを表示する。
【０１７２】
図２６は、薬剤情報表示画面の一例を示している。薬剤情報表示画面２３６は、管理・処理データ３０の表示の一例であり、たとえば薬剤情報選択ボタン２０８の選択により表示させることができる。薬剤情報表示画面２３６は、上部バー１７８−２、サイドバー１８０−２および表示領域１８２−６を備えている。上部バー１７８−２およびサイドバー１８０−２は、水処理状況画面２００の上部バー１７８−２およびサイドバー１８０−２と同様である。薬剤情報表示画面２３６では、薬剤情報選択ボタン２０８に表示処理２１４が付されている。
【０１７３】
表示領域１８２−６の上部および中央部には、水処理設備で使用する薬剤の各種の管理項目およびそのデータを表示する薬剤情報テーブル２３８が表示されている。薬剤情報テーブル２３８では、薬剤名「殺滅剤」、「中和剤」、「ＴＲＯ計バッファー」、「ＴＲＯ計試薬」のそれぞれについて、管理項目「購入日」、「購入量」、「使用量」、「船内保管残量」、「保管時間」、「次回購入予定日／購入場所」の情報が表示される。また薬剤名「ＴＲＯ計バッファー」、「ＴＲＯ計試薬」について、管理項目「交換日」、「使用可能残時間」が表示される。薬剤情報テーブル２３８では、バッファー（緩衝溶液）の「交換日」および「使用可能残時間」のデータと試薬の「交換日」および「使用可能残時間」のデータは、ＴＲＯ計１１０−１、１１０−２毎に表示される。
【０１７４】
表示領域１８２−６の下部には、薬剤の交換終了を指示する薬剤交換ボタン２４０が表示されている。この薬剤交換ボタン２４０は、薬剤の交換時に操作され、操作により交換終了を管理サーバ２３に指示する。管理サーバ２３はこの交換終了指示を受けると、薬剤情報テーブル２３８の交換日欄のデータを、この指示を受けた日付に更新する。つまり、薬剤交換ボタン２４０の操作に応じて、薬剤情報テーブル２３８の交換日が更新される。また、使用可能残時間は、交換日を基準に更新される。たとえば、ＴＲＯ計試薬の使用可能残時間は、交換日からたとえば３か月に設定され、交換日が更新されると、使用可能残時間も更新される。
【０１７５】
薬剤交換ボタン２４０の操作は、たとえばタッチパネルへのタッチ操作、またはマウスによるクリック操作を用いればよい。薬剤情報表示画面を含む各種の画面は、薬剤交換ボタン２４０による交換終了指示のように、設備データ１１はまた管理・処理データ３０の更新に用いることができる。バッファー交換または試薬交換では、交換日の入力を伴わずにワンクリックでデータを更新することができ、船員の作業を軽減させることができる。
【０１７６】
＜船舶・水処理情報の報告＞
図２７は概要報告書の一例を示している。この報告書は、管理・処理データ３０に基づき作成される報告書の一例であり、たとえば報告書選択ボタン２１０の選択により表示されまたは印刷される。
【０１７７】
概要報告書２４２は、レポート番号表記、作成日表記、および表題「バラスト処理  レポート（概要）」とともに、船舶情報欄２４４、バラスト水処理欄２４６、その他欄２４８、および船長署名欄２５０を含む。概要報告書２４２は、表示または印刷要求に関わらず、たとえば１日毎に作成される。新しい概要報告書２４２が作成される場合、管理サーバ２３は、メモリ部７２に記憶されている最後の概要報告書２４２のレポート番号を参照し、新規のレポート番号を発行し、この新しいレポート番号を、新しい概要報告書２４２に表示し、最新のレポート番号としてメモリ部７２に記憶する。このレポート番号は、データベース２４に管理・処理データ３０として記憶される概要報告書２４２のレポート番号を参照して新規のレポート番号を発行するようにしてもよい。管理サーバ２３は、新規の報告書を作成する際に、管理サーバ２３の日付情報を参照し、作成日表記とともに日付を表示する。
【０１７８】
船舶情報欄２４４は、見出し「１．船舶情報」とともに、記載欄「期間」、「船名」、「国際海事機関船舶識別番号」、「総トン数」、「旗国」、「総バラスト水容量（ｍ3）」、「この船舶はバラスト水管理計画を備えている」、および「バラスト水タンクを示す船の図」を含んでいる。たとえば管理サーバ２３がデータベース２４のデータに基づきこれらの記載欄を自動で記載する。これらの記載欄は、たとえば既述のバラスト水管理条約に規定する「バラスト水記録簿」の様式に沿って記載される。
【０１７９】
バラスト水処理欄２４６は、見出し「２．バラスト水処理結果（概要）」、「（１）バラスト注水処理」および「（２）バラスト排水処理」を含む。バラスト水処理欄２４６は、見出し「（１）バラスト注水処理」に関連して、記載欄「処理日時（年月日時〜時）、「処理場所（緯度／経度／水深）」、「処理量（ｍ3）」、「処理時間（ｈ）」、「平均ＴＲＯ濃度（ｍｇ／Ｌ）」、「気象情報」、および「作業担当者署名」を含む。バラスト水処理欄２４６は、見出し「（２）バラスト排水処理」に関連して、記載欄「処理日時（年月日時〜時）、「処理場所（緯度／経度／水深）」、「処理量（ｍ3）」、「残量（ｍ3）」、「処理時間（ｈ）」、「処理後平均ＴＲＯ濃度（ｍｇ／Ｌ）」、「気象情報」、「排水前のバラスト水管理計画実施有無」および「作業担当者署名」を含む。たとえば管理サーバ２３がデータベース２４のデータに基づきこれらの記載欄を自動で記載する。これらの記載欄は、たとえば既述のバラスト水記録簿の様式に沿って記載される。
【０１８０】
このバラスト水処理欄２４６は、更に、バラスト注水処理の結果を示す結果表示欄およびバラスト排水処理の結果を示す結果表示欄を含む。これらの結果表示欄は、たとえば顔文字を含み、バラスト注水処理またはバラスト排水処理の問題の有無を顔の表情で表す。これらの結果表示欄は、たとえば管理サーバ２３により表示される。管理サーバ２３は、各記載欄に記載する項目に異常がないかを判断し、異常がなければ問題なしを表す表示、異常があれば問題ありを表す表示を表示する。
【０１８１】
その他欄２４８は、不慮のまたはその他の例外的なバラスト水の取り入れまたは排水に係る記載欄であって、斯かるバラスト水の取り入れまたは排水が生じたことをチェックにより表す四角形状の記載欄とともに、記載欄「発生日時（年月日時〜時）、「発生場所（緯度／経度／水深）」、「排出されたバラスト水の概算の容量（ｍ3）」、「取り入れ、排出、流出または損失の状況、その理由および概要」、「承認されたバラスト水管理計画が排出の前に実施されていたかどうか」および「作業担当者署名」を含む。たとえば船舶４の作業担当者によりこれらの項目を記載する。これらの記載欄は、たとえば既述のバラスト水記録簿の様式に沿って記載される。尚、管理サーバ２３がデータベース２４のデータに基づきこれらの記載欄を自動で記載してもよい。
【０１８２】
船長署名欄２５０は、記載欄「船長の署名」を含む。船長は、この「バラスト処理  レポート（概要）」を確認し、記載欄「船長の署名」に署名する。この概要報告書２４２は、バラスト水管理条約に規定するバラスト水記録簿として、および船舶４の航海日誌として用いることができる。
【０１８３】
図２８は詳細報告書の例を示している。この報告書は、管理・処理データ３０に基づき作成される報告書の一例であり、たとえば概要報告書２４２に続き表示されまたは概要報告書２４２に続き印刷される。
【０１８４】
詳細報告書２５２は、既述のレポート番号表記、既述の作成日表記、および表題「バラスト処理  レポート（詳細）」とともに、処理データ欄２５４、薬剤情報欄２５６、警報履歴欄２５８、および既述の船長署名欄２５０を含む。
【０１８５】
処理データ欄２５４は、見出し「１．処理データ」とともに、表示欄２５４−１、２５４−２、２５４−３、２５４−４を含んでいる。表示欄２５４−１は、たとえば表示欄「バラスト注水量」であり、縦軸を処理量（ｍ3）、横軸を処理時間（ｈ）としてたとえばバラスト注水量の推移が表示されるグラフである。表示欄２５４−２は、たとえば表示欄「バラスト注水時  ＴＲＯ濃度」であり、縦軸をＴＲＯ濃度（ｍｇ／Ｌ）、横軸を処理時間（ｈ）としてたとえばバラスト注水時のＴＲＯ濃度の推移が表示されるグラフである。表示欄２５４−３は、たとえば表示欄「バラスト排水量」であり、縦軸を処理量（ｍ3）、横軸を処理時間（ｈ）としてたとえばバラスト排水量の推移が表示されるグラフである。表示欄２５４−４は、たとえば表示欄「バラスト排水時  ＴＲＯ濃度」であり、縦軸をＴＲＯ濃度（ｍｇ／Ｌ）、横軸を処理時間（ｈ）としてたとえばバラスト排水時のＴＲＯ濃度の推移が表示されるグラフである。これらの表示欄２５４−１、２５４−２、２５４−３、２５４−４の処理時間表示は、たとえばこの詳細報告書２５２の作成日における０時から２４時までの２４時間で表示される。管理サーバ２３は、データベース２４の管理・処理データ３０に基づきこれらの表示欄２５４−１、２５４−２、２５４−３、２５４−４を自動で表示する。
【０１８６】
薬剤情報欄２５６は、見出し「２．薬剤情報」とともに、記載欄「殺滅剤使用量（Ｌ）」、「殺滅剤残量（Ｌ）」、「中和剤使用量（Ｌ）」、「中和剤残量（Ｌ）〔溶解済み〕」および「中和剤残量（ｋｇ）〔未溶解〕」を含む。管理サーバ２３は、データベース２４のデータに基づき記載欄「殺滅剤使用量（Ｌ）」、「殺滅剤残量（Ｌ）」、「中和剤使用量（Ｌ）」および「中和剤残量（Ｌ）〔溶解済み〕」を自動で記載する。記載欄「中和剤残量（ｋｇ）〔未溶解〕」は、たとえば船舶４の作業担当者により記載される。記載欄「中和剤残量（ｋｇ）〔未溶解〕」は、管理サーバ２３がデータベース２４の管理・処理データ３０に基づき自動で記載してもよい。
【０１８７】
警報履歴欄２５８は、見出し「３．警報履歴」とともに、記載欄「警報発生日時」および「発生した警報」を含む。管理サーバ２３は、データベース２４の管理・処理データ３０に基づきこれらの記載欄を自動で記載する。
【０１８８】
船長署名欄２５０は、記載欄「船長の署名」を含む。船長は、この「バラスト処理  レポート（詳細）」を確認し、記載欄「船長の署名」に署名する。この「バラスト処理  レポート（詳細）」は、船舶４の航海日誌として用いることができる。
【０１８９】
図２９は報告書の他の例を示す図である。この報告書２６０は、管理・処理データ３０に基づき作成される報告書の一例であり、表題「バラスト処理  Ｎｏ    レポート」、宛先表記、および対象期間表記とともに、処理コスト評価欄２６２、モニタリングデータ欄２６４、特記欄２６６、および既述の船長署名欄２５０を含む。レポート番号の発行は、既述の概要報告書２４２と同様である。管理サーバ２３は、発行したレポート番号を、表題の「バラスト処理  Ｎｏ」と「レポート」の間に挿入し、最新のレポート番号をメモリ部７２に記憶する。また、管理サーバ２３は、既述のログインＩＤから顧客を特定し、特定した顧客名を宛先表記とともに表示する。
【０１９０】
処理コスト評価欄２６２の左部には、バラスト水処理装置８−１の設備構成図２６８が表示される。この設備図２６８は、バラスト水処理装置８−１に係る最近の設備データ１１を含む。設備構成図に含まれる設備データ１１は、水処理状況画面２００の表示領域１８２−２において、設備選択ボタンに表示されるデータと同様であるのでその説明を省略する。
【０１９１】
処理コスト評価欄２６２の右上部には、バラスト水処理装置８−１の稼働に伴う費用が月毎の推移グラフ２７０として表示される。この稼働に伴う費用は、殺滅剤費用、中和剤費用、電力費用などに分類され、たとえば積み上げ棒グラフで表示される。
【０１９２】
処理コスト評価欄２６２の右中央部および右下部には、バラスト注水処理からバラスト排水処理までの一連の注排水処理結果２７２が表示される。バラスト注水処理結果では、表示項目「担当者」、「処理日時」、「処理場所（緯度経度）」、「バラスト注水処理量」、「処理時間」、「殺滅剤使用量」、「電力使用量」、およびバラスト注水処理場所の「（深さ）」が表示される。表示項目「担当者」、「処理日時」、「処理場所（緯度経度）」、「バラスト注水処理量」、「処理時間」およびバラスト注水処理場所の「（深さ）」は、バラスト水処理欄２４６の表示項目と同様に表示される。表示項目「殺滅剤使用量」は、薬剤情報欄２５６の表示項目と同様に表示される。表示項目「電力使用量」には、バラスト注水処理に要した電力量が表示される。バラスト排水処理結果では、表示項目「担当者」、「処理日時」、「処理場所（緯度経度）」、「バラスト排水処理量」、「処理時間」、「中和剤使用量」、「電力使用量」、およびバラスト排水処理場所の「（深さ）」が表示される。表示項目「担当者」、「処理日時」、「処理場所（緯度経度）」、「バラスト排水処理量」、「処理時間」およびバラスト排水処理場所の「（深さ）」は、バラスト水処理欄２４６の表示項目と同様に表示される。表示項目「中和剤使用量」は、薬剤情報欄２５６の表示項目と同様に表示される。表示項目「電力使用量」には、バラスト排水処理に要した電力量が表示される。注排水処理結果２７２は、「航海時間」表示を含み、この「航海時間」表示では、バラスト排水処理の処理日時からバラスト注水処理の処理日時を差し引いた時間が表示される。
【０１９３】
モニタリングデータ欄２６４は、表示欄２６４−１、２６４−２、２６４−３、２６４−４、２６４−５を含んでいる。表示欄２６４−１は、たとえば表示欄「バラスト処理量（注水＆排水）」である。この表示欄２６４−１には、詳細報告書２５２に表示する表示欄２５４−１のグラフと表示欄２５４−３のグラフとを組み合わせたグラフが表示される。表示欄２６４−２は、たとえば表示欄「薬剤使用量（殺滅剤＆中和剤）」であり、縦軸を薬剤の使用量（Ｌ）、横軸を処理時間（ｈ）としてたとえば殺滅剤と中和剤の使用量の推移がそれぞれ表示されるグラフである。表示欄２６４−３には、詳細報告書２５２に表示する表示欄２５４−２のグラフと同様のグラフが表示され、表示欄２６４−４には、詳細報告書２５２に表示する表示欄２５４−４のグラフと同様のグラフが表示される。表示欄２６４−５は、概要報告書２４２のその他欄２４８に対応して、不慮のまたはその他の例外的なバラスト水の取り入れまたは排水が生じた際にこれらの処理結果が記載される。表示欄２６４−５では、たとえば、殺滅剤による殺滅処理や中和剤による中和処理が行われずに、バイパス処理されたバイパス処理水量の注水量および排水量が記載されるとともに、このような例外的な処理の原因となった重警報の履歴を記載する。
【０１９４】
この報告書２６０は、船舶４の航海日誌として用いることができる。図２２〜図２９では、バラスト水処理装置８−１の水処理状況画面２００、トレンド表示画面２２０、積算表示画面２３２、管理データ表示画面２３４、薬剤情報表示画面２３６、概要報告書２４２、詳細報告書２５２および報告書２６０の一例を示した。ボイラ装置１０−１または造水装置１２−１の画面または報告書は、バラスト水処理装置８−１のこれらの画面または報告書と同様に表示または印刷すればよい。
【０１９５】
＜制御装置１４−１側の管理・処理データの出力処理＞
図３０は、管理・処理データ３０の出力処理の処理手順の一例を示している。この処理手順は、本発明の設備管理方法の一例である。この処理手順は、制御装置１４−１のプロセッサ５８が、メモリ部６０に読み取り可能に記憶されている設備管理プログラムを実行し、また通信装置１６−１が通信することにより実行される。各処理はプログラムによって実行される機能または管理方法の一例である。図３０において、ステップＳは処理段階を示す。
【０１９６】
プロセッサ５８は、管理・処理データ３０の要求であるかを判断する（ステップＳ２８１）。管理・処理データ３０の要求判断は、たとえば入力部６４に管理・処理データ３０を要求する入力が行われたときに管理・処理データ３０の要求であると判断する。管理・処理データ３０の要求であれば（ステップＳ２８１のＹＥＳ）、通信装置１６−１を介して管理サーバ２３に管理・処理データ３０を要求する（ステップＳ２８２）。たとえば、入力部６４が、ユーザによる水処理状況画面２００の取得指示を受け付けると、制御装置１４−１は、入力部６４が受け付けた指示に基づいて、通信装置１６−１を介して管理サーバ２３に水処理状況画面２００の送信要求を通知する。管理・処理データ３０の要求でなければ（ステップＳ２８１のＮＯ）、プロセッサ５８は、ステップＳ２８２を省略する。
【０１９７】
管理・処理データ３０の要求により、または管理サーバ２３の自動処理により、管理・処理データ３０は通信装置１６−１を介して制御装置１４−１に送信される。たとえば、管理サーバ２３から、要求した水処理状況画面２００を取得する。プロセッサ５８は、管理・処理データ３０の取得であるかを判断し（ステップＳ２８３）、管理・処理データ３０の取得であれば（ステップＳ２８３のＹＥＳ）、取得した管理・処理データ３０を解析して出力する（ステップＳ２８４）。たとえば、制御装置１４−１は、管理・処理データ３０に基づき表示部６２に水処理状況画面２００を表示する。制御装置１４−１は、管理・処理データ３０に基づき水処理状況画面２００をＩ／Ｏ６６に接続された印刷装置により印刷する。管理・処理データ３０の取得でなければ（ステップＳ２８３のＮＯ）、プロセッサ５８は、ステップＳ２８４を省略する。プロセッサ５８は、ステップＳ２８１に戻り、ステップＳ２８１からステップＳ２８４を繰り返す。
【０１９８】
＜管理サーバ２３側の管理・処理データ３０の出力処理＞
図３１は、管理・処理データの出力処理の処理手順の一例を示している。この処理手順は、本発明の設備管理方法の一例である。この処理手順は、管理サーバ２３のプロセッサ７０が、メモリ部７２に読み取り可能に記憶されている設備管理プログラムを実行することにより実行される。この処理手順は、たとえば図１８に示す管理・処理データの出力処理（ステップＳ２７７）に対応して実施される。各処理はプログラムによって実行される機能または管理方法の一例である。図３１において、ステップＳは処理段階を示す。
【０１９９】
プロセッサ７０は、管理・処理データ３０の定時出力であるかを判断する（ステップＳ２９１）。この定時出力は、たとえば、１日（２４時間）毎に送信するように時間設定され、航海日誌として利用されるたとえば概要報告書２４２および詳細報告書２５２を送信する。定時出力であれば（ステップＳ２９１のＹＥＳ）、概要報告書２４２および詳細報告書２５２等の管理・処理データ３０をデータベース２４から取得し（ステップＳ２９２）、船舶に関わる顧客に定時出力する（ステップＳ２９３）。定時出力でなければ（ステップＳ２９１のＮＯ）、ステップＳ２９２およびＳ２９３を省略する。
【０２００】
プロセッサ７０は、管理・処理データ３０の出力要求の取得であるかを判断し（ステップＳ２９４）、出力要求の取得であれば（ステップＳ２９４のＹＥＳ）、要求に基づいて要求された管理・処理データ３０をデータベース２４から取得し（ステップＳ２９５）、要求した顧客に出力する（ステップＳ２９６）。出力要求の取得でなければ（ステップＳ２９４のＮＯ）、ステップＳ２９５およびＳ２９６を省略する。プロセッサ７０は、ステップＳ２９１に戻り、ステップＳ２９１からステップＳ２９６を繰り返す。
【０２０１】
このようにして、管理サーバ２３が作成した解析結果、診断結果、卜レンドグラフ等の管理・処理データ３０を船舶４または管理者等が得て、表示や印刷をすることができる。
【０２０２】
管理・処理データ３０を取得した船舶４では、たとえば表示部６２に表示された管理・処理データ３０を参照して、水処理設備の担当者が、水処理設備への薬液注入量を調整することができ、水処理設備の設備負荷の調整を行うことができる。
【０２０３】
＜実施例２の効果＞
(1)  実施例１に示した効果を得ることができる。
【０２０４】
(2)  データベース２４に記憶した管理・処理データ３０に基づき、管理センター６、船舶４、船舶所有者または船舶管理者で水処理設備の解析、診断、トレンドグラフの表示や印刷を行うことができる。また、管理サーバ２３は無線を介して最近の設備データ１１を取得しているので、この最近の設備状況が反映された解析結果、診断結果、トレンドグラフ等を表示や印刷することができる。
【０２０５】
(3)  制御装置１４−１は、管理サーバ２３により作成された管理・処理データ３０を、無線を介して取得し、表示または印刷することができる。無線の介在により、水処理設備で水をサンプリングしてから、管理・処理データ３０に基づくトレンドグラフ等の表示や印刷までにかかる時間を短縮することができる。船舶４では、制御装置１４−１の表示部６２に表示された卜レンドグラフ等を参照して水処理設備への薬液注入量を調整したり、水処理設備の設備負荷を調整したりすることで、水処理設備を安定的で最適な運転状態に維持することができる。
【０２０６】
(4)  選択ボタンや切替ボタンの操作により、参照したいデータを比較的簡単に表示または印刷することができる。また、薬剤交換ボタン２４０の操作は、たとえばタッチパネルへのタッチ操作、またはマウスによるクリック操作を用いればよい。薬剤情報表示画面を含む各種の画面は、薬剤交換ボタン２４０による交換終了指示のように、表示画面上でのボタン操作により、設備データ１１や管理・処理データ３０の更新を比較的簡単に行うことができる。
【０２０７】
(5)  出力した報告書をそのままバラスト水管理条約に規定するバラスト水記録簿や航海日誌として用いることができ、これらの作成負荷が軽減される。
【０２０８】
＜変形例＞
(1)  実施例１で示した各種の変形が可能である。
【０２０９】
(2)  上記実施例では、ログインＩＤとパスワードの設定により、管理サーバ２３に登録されたユーザのアクセスのみを許容するように認証したが、本発明は斯かる認証に限定されるものではない。また、ＩＤやパスワードを水処理設備や水質分析計１７４に関連づけて、特定の水処理設備や水質分析計１７４の設備データ１１へのアクセス権限を与えるようにしてもよい。斯かる構成では、ＩＤに対応するユーザが取り扱う水処理設備の管理・処理データ３０についてのみ取得でき、他のユーザが扱う水処理設備や水質分析計１７４の管理・処理データ３０の閲覧が禁止され、情報セキュリティをさらに強固にすることができる。また、ＩＤやパスワードの入力による認証を行わずに、データを公開するようにしてもよい。
【０２１０】
(3)  上記実施例では、表示領域１８２−２にバラスト水処理装置８−１の設備構成を表す設備構成図を表示したが、この設備構成図を介して水処理設備を遠隔操作できるようにしてもよい。このような構成によれば、管理サーバ２３が提供する管理・処理データ３０を確認している船員が、各水処理設備の操作パネルに移動することなく、管理サーバ２３が提供する管理・処理データ３０を表示している制御装置１４−１を介して各水処理設備を遠隔で操作することができる。
【実施例３】
【０２１１】
実施例３では、設備管理システムは、船舶４のバラスト水処理装置８−１、ボイラ装置１０−１、造水装置１２−１などの水処理設備で使用する薬剤を手配する。この実施例３の設備管理システム２は、実施例１の設備管理システム２または実施例２の設備管理システム２を含んでいる。実施例１または実施例２と共通する内容の説明は省略する。
【０２１２】
実施例３では、管理サーバ２３は、船舶４の運行情報をデータベース２４に記憶する。船舶４の運行情報は、船舶４の運航計画を含み、たとえば船舶４の寄港地情報およびこの寄港地の滞在期間情報を含む。この運行情報は、たとえば船舶に関わる顧客から取得すればよい。管理サーバ２３は、水処理設備で使用する薬剤が不足しているかを判断し、薬剤が不足している場合には、データベース２４に記憶している運行情報を参照し、船舶４が今後寄港する寄港地を検索し、検索された寄港地に薬剤を手配する。この薬剤の手配情報は管理・処理データ３０に追加され、データベース２４に記憶される。船舶４は、データベース２４の管理・処理データ３０を参照して、薬剤の手配を知ることができる。
【０２１３】
＜薬剤の手配処理＞
図３２は、薬剤の手配処理の処理手順の一例を示している。この処理手順は、本発明の設備管理方法の一例である。この処理手順は、管理サーバ２３のプロセッサ７０が、メモリ部７２に読み取り可能に記憶されている設備管理プログラムを実行することにより実行される。この処理は、定期的、たとえば１日毎または１週間毎に実行される。各処理はプログラムによって実行される機能または管理方法の一例である。図３２において、ステップＳは処理段階を示す。
【０２１４】
プロセッサ７０は、管理・処理データ３０を参照し、薬剤の船内保管残量を確認し（ステップＳ３０１）、この船内保管残量がデータベース２４に予め設定された薬剤の下限保管量以下であるかを判断する（ステップＳ３０２）。下限保管量以下であれば（ステップＳ３０２のＹＥＳ）、データベース２４に記憶されている船舶４の運行情報を確認し（ステップＳ３０３）、薬剤を手配する寄港地を決定する（ステップＳ３０４）。薬剤を手配する寄港地は、船舶４が次に寄港する寄港地に限らない。たとえば、薬剤の船内保管残量から薬剤が尽きる日付を推定し、今後Ｎ番目に寄港する寄港地まで薬剤が残るようであれば、このＮ番目の寄港地に薬剤を手配するようにしてもよい。
【０２１５】
プロセッサ７０は、決定した寄港地に対してたとえば発注書の発行により薬剤を手配し（ステップＳ３０５）、管理・処理データ３０に薬剤手配情報を追加し（ステップＳ３０６）、処理を終了する。船内保管残量が下限保管量以下でなければ（ステップＳ３０２のＮＯ）、ステップＳ３０３からステップＳ３０６を省略し、処理を終了する。
【０２１６】
＜実施例３の効果＞
(1)  実施例１または実施例２に示した効果を得ることができる。
【０２１７】
(2)  水処理設備に必要な薬剤が管理サーバ２３により管理されるとともに寄港地に手配されるので、船舶４の船員は、薬剤の管理や手配をする必要がなく、船員の作業負担が軽減される。また、薬剤手配情報が管理・処理データ３０に記憶されるので、船舶４の水処理設備に関する情報を薬剤の手配情報を含めて一括して記録することができる。
【０２１８】
(3)  海上において薬剤の不足や修理が困難な設備異常が生じた時には、最寄りの寄港地での薬剤の補充や設備修理の手配が生じるが、これらの作業を管理センター６で行うので、船員の手配負担が軽減される。
【０２１９】
＜変形例＞
(1)  実施例１または実施例２で示した各種の変形が可能である。
【０２２０】
(2)  上記実施例では、薬剤の手配も含めて管理サーバ２３が実施したが、たとえば、管理サーバ２３は、薬剤の手配を促す警報を発生させ、警報を確認した管理サーバ２３のオペレータが薬剤を手配してもよい。
【０２２１】
(3)  上記実施例では、薬剤を手配したが、たとえば水処理設備に用いる予備品の管理および手配を行ってもよく、また、水処理設備の異常を検知し、水処理設備の維持または保守（メンテナンス）を手配するようにしてもよい。
【０２２２】
以上説明したように、本発明の最も好ましい実施の形態等について説明した。本発明は、上記記載に限定されるものではない。特許請求の範囲に記載され、または明細書に開示された発明の要旨に基づき、当業者において様々な変形や変更が可能である。斯かる変形や変更が、本発明の範囲に含まれることは言うまでもない。
【産業上の利用可能性】
【０２２３】
本発明は、船舶における水処理設備の設備データを、船舶、船舶所有者又は船舶管理者に提供でき、有用である。
【符号の説明】
【０２２４】
２  設備管理システム
４  船舶
６  管理センター
８  バラスト水処理設備
８−１  バラスト水処理装置
８−２、１０−２、１２−２  制御部
１０  ボイラ設備
１０−１  ボイラ装置
１１  設備データ
１２  造水処理設備
１２−１  造水装置
１４、２２  処理部
１４−１  制御装置
１４−２  記憶部
１６、２０  通信部
１６−１  通信装置
１８  公衆無線通信衛星
２３  管理サーバ
２４  データベース
２６  通信設備
２７  通信ネットワーク
２８  船舶・設備データ
３０  管理・処理データ
３４  設備情報
３６  船舶コード
３８  船舶名情報
４０  設備コード
４２  設備名情報
４４  水種別名情報
４６  ファイル名情報
４８  日付情報
５０  時刻情報
５２  設備データ
５４  センサ校正日情報
５６  通信部
５８、７０  プロセッサ
６０、７２  メモリ部
６２  表示部
６４  入力部
６６、７４  Ｉ／Ｏ
６８  通信部
１７４  水質分析計
１７５  データ解析装置
【図１】
2018103637.tif 000003
【図２】
2018103637.tif 000004
【図３】
2018103637.tif 000005
【図４】
2018103637.tif 000006
【図５】
2018103637.tif 000007
【図６】
2018103637.tif 000008
【図７】
2018103637.tif 000009
【図８】
2018103637.tif 000010
【図９】
2018103637.tif 000011
【図１０】
2018103637.tif 000012
【図１１】
2018103637.tif 000013
【図１２】
2018103637.tif 000014
【図１３】
2018103637.tif 000015
【図１４】
2018103637.tif 000016
【図１５】
2018103637.tif 000017
【図１６】
2018103637.tif 000018
【図１７】
2018103637.tif 000019
【図１８】
2018103637.tif 000020
【図１９】
2018103637.tif 000021
【図２０】
2018103637.tif 000022
【図２１】
2018103637.tif 000023
【図２２】
2018103637.tif 000024
【図２３】
2018103637.tif 000025
【図２４】
2018103637.tif 000026
【図２５】
2018103637.tif 000027
【図２６】
2018103637.tif 000028
【図２７】
2018103637.tif 000029
【図２８】
2018103637.tif 000030
【図２９】
2018103637.tif 000031
【図３０】
2018103637.tif 000032
【図３１】
2018103637.tif 000033
【図３２】
2018103637.tif 000034
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
船舶に搭載されて薬剤投与により水処理を行う少なくともバラスト水処理設備、ボイラ設備および造水処理設備から取得した各状態情報を集合させ、この集合した各状態情報から選択された一つの状態情報または２以上の状態情報を含み、かつ該状態情報に設備の水種別情報が関連付けられた告知情報を船舶から無線により取得する通信部と、
前記船舶から取得した前記告知情報から前記バラスト水処理設備、前記ボイラ設備または前記造水処理設備の前記状態情報を抽出し、前記バラスト水処理設備、前記ボイラ設備または前記造水処理設備に少なくとも必要な薬剤情報を含む管理情報を生成し、該管理情報を少なくとも前記告知情報を送出した船舶に対して前記通信部に送出させる処理部と、
を備えることを特徴とする設備管理システム。
【請求項２】
前記処理部は、前記告知情報を送出した船舶の所有者または管理者に対して前記管理情報を前記通信部に送出させることを特徴とする請求項１記載の設備管理システム。
【請求項３】
前記管理情報は、さらに航海日誌情報またはバラスト処理報告に使用する報告書情報を含むことを特徴とする請求項１または請求項２記載の設備管理システム。
【請求項４】
前記処理部は、前記バラスト水処理設備、前記ボイラ設備および前記造水処理設備の各設備に必要な薬剤の残量を管理し、前記薬剤の残量に応じて前記薬剤を前記船舶の寄港地に手配することを特徴とする請求項１ないし請求項３の何れか１項に記載の設備管理システム。
【請求項５】
船舶に搭載されて薬剤投与により水処理を行う少なくともバラスト水処理設備、ボイラ設備および造水処理設備から取得した各状態情報を集合させ、この集合した各状態情報から選択された一つの状態情報または２以上の状態情報を含み、かつ該状態情報に設備の水種別情報が関連付けられた告知情報を生成する処理部と、
前記処理部で生成された前記告知情報を無線により送信する通信部と、
を備えることを特徴とする設備管理システム。
【請求項６】
前記通信部は、前記バラスト水処理設備、前記ボイラ設備または前記造水処理設備に少なくとも必要な薬剤情報を含む管理情報を無線で受信し、この管理情報を前記処理部に送出し、
前記処理部は、前記管理情報を提示することを特徴とする請求項５記載の設備管理システム。
【請求項７】
コンピュータにより実行される設備管理プログラムであって、
船舶に搭載されて薬剤投与により水処理を行う少なくともバラスト水処理設備、ボイラ設備および造水処理設備から取得した各状態情報を集合させ、この集合した各状態情報から選択された一つの状態情報または２以上の状態情報を含み、かつ該状態情報に設備の水種別情報が関連付けられた告知情報を生成する機能と、
前記告知情報から前記バラスト水処理設備、前記ボイラ設備または前記造水処理設備の前記状態情報を抽出し、前記バラスト水処理設備、前記ボイラ設備または前記造水処理設備に必要な薬剤情報を含む管理情報を生成する機能と、
前記告知情報または前記管理情報を送出する機能と、
を前記コンピュータにより実現するための設備管理プログラム。
【請求項８】
船舶に搭載されて薬剤投与により水処理を行う少なくともバラスト水処理設備、ボイラ設備および造水処理設備から取得した各状態情報を集合させ、この集合した各状態情報から選択された一つの状態情報または２以上の状態情報を含み、かつ該状態情報に設備の水種別情報が関連付けられた告知情報を生成するステップと、
前記告知情報から前記バラスト水処理設備、前記ボイラ設備または前記造水処理設備の前記状態情報を抽出し、前記バラスト水処理設備、前記ボイラ設備または前記造水処理設備に必要な薬剤情報を含む管理情報を生成するステップと、
前記告知情報または前記管理情報を送出するステップと、
を含むことを特徴とする設備管理方法。
【手続補正２】
【補正対象書類名】明細書
【補正対象項目名】０００８
【補正方法】変更
【補正の内容】
【０００８】
上記目的を達成するため、本発明の船舶の設備管理システムの一側面によれば、船舶に搭載されて薬剤投与により水処理を行う少なくともバラスト水処理設備、ボイラ設備および造水処理設備から取得した各状態情報を集合させ、この集合した各状態情報から選択された一つの状態情報または２以上の状態情報を含み、かつ該状態情報に設備の水種別情報が関連付けられた告知情報を船舶から無線により取得する通信部と、前記船舶から取得した前記告知情報から前記バラスト水処理設備、前記ボイラ設備または前記造水処理設備の前記状態情報を抽出し、前記バラスト水処理設備、前記ボイラ設備または前記造水処理設備に少なくとも必要な薬剤情報を含む管理情報を生成し、該管理情報を少なくとも前記告知情報を送出した船舶に対して前記通信部に送出させる処理部とを備えればよい。
【手続補正３】
【補正対象書類名】明細書
【補正対象項目名】００１２
【補正方法】変更
【補正の内容】
【００１２】
上記目的を達成するため、本発明の船舶の設備管理システムの一側面によれば、船舶に搭載されて薬剤投与により水処理を行う少なくともバラスト水処理設備、ボイラ設備および造水処理設備から取得した各状態情報を集合させ、この集合した各状態情報から選択された一つの状態情報または２以上の状態情報を含み、かつ該状態情報に設備の水種別情報が関連付けられた告知情報を生成する処理部と、前記処理部で生成された前記告知情報を無線により送信する通信部とを備えればよい。
【手続補正４】
【補正対象書類名】明細書
【補正対象項目名】００１４
【補正方法】変更
【補正の内容】
【００１４】
上記目的を達成するため、本発明の船舶の設備管理プログラムの一側面によれば、コンピュータにより実行される設備管理プログラムであって、船舶に搭載されて薬剤投与により水処理を行う少なくともバラスト水処理設備、ボイラ設備および造水処理設備から取得した各状態情報を集合させ、この集合した各状態情報から選択された一つの状態情報または２以上の状態情報を含み、かつ該状態情報に設備の水種別情報が関連付けられた告知情報を生成する機能と、前記告知情報から前記バラスト水処理設備、前記ボイラ設備または前記造水処理設備の前記状態情報を抽出し、前記バラスト水処理設備、前記ボイラ設備または前記造水処理設備に必要な薬剤情報を含む管理情報を生成する機能と、前記告知情報または前記管理情報を送出する機能とを前記コンピュータにより実現する
【手続補正５】
【補正対象書類名】明細書
【補正対象項目名】００１５
【補正方法】変更
【補正の内容】
【００１５】
上記目的を達成するため、本発明の船舶の設備管理方法の一側面によれば、船舶に搭載されて薬剤投与により水処理を行う少なくともバラスト水処理設備、ボイラ設備および造水処理設備から取得した各状態情報を集合させ、この集合した各状態情報から選択された一つの状態情報または２以上の状態情報を含み、かつ該状態情報に設備の水種別情報が関連付けられた告知情報を生成するステップと、前記告知情報から前記バラスト水処理設備、前記ボイラ設備または前記造水処理設備の前記状態情報を抽出し、前記バラスト水処理設備、前記ボイラ設備または前記造水処理設備に必要な薬剤情報を含む管理情報を生成するステップと、前記告知情報または前記管理情報を送出するステップとを含めばよい。
【手続補正６】
【補正対象書類名】明細書
【補正対象項目名】００８５
【補正方法】変更
【補正の内容】
【００８５】
＜バラスト水処理設備８の処理手順＞
図１１は、バラスト水の給水の処理手順の一例を示し、図１２は、バラスト水の排水の処理手順の一例を示している。これらの処理は、バラスト水処理設備８の制御部１３０で実行される。各処理はプログラムによって実行される機能または管理方法の一例である。図１１、図１２において、ステップＳは処理段階を示す。
【手続補正７】
【補正対象書類名】明細書
【補正対象項目名】０１１７
【補正方法】変更
【補正の内容】
【０１１７】
ステップＳ２６１において、設備データ１１の受信でなければ（ステップＳ２６１のＮＯ）、ステップＳ２６１を繰り返す。斯かる処理手順の実行により、制御装置１４−１および通信装置１６−１は計測時刻が異なる複数の設備データ１１を送信することとなり、管理サーバ２３は、設備データ１１を取得することになる。
【手続補正８】
【補正対象書類名】明細書
【補正対象項目名】０１２８
【補正方法】変更
【補正の内容】
【０１２８】
(3)  上記実施例では、制御装置１４−１が表示部６２および入力部６４を備えたが、制御装置１４−１がＩ／Ｏ６６を介して表示装置や入力装置に接続していてもよい。表示装置は、たとえば既述の表示部６２の機能を有していればよく、入力装置は、たとえば既述の入力部６４の機能を有していればよい。